(57)【要約】  基本コンテンツ項目は、ユーザコンピューティングデバイスによって伝達され得る。これらの基本コンテンツ項目は、音、歌、ビデオクリップ、アニメ、画像、マルチメディアコンテンツ等の向上コンテンツによって向上され得る。特徴および向上オブジェクトが、基本コンテンツ項目の一部分中で特定されてもよく、向上コンテンツが、コンテンツ向上サービスによって、その部分に対して自動的に割り当てられてもよい。１つの実施形態では、向上用の音または歌が、オーディオブックまたは電子書籍を向上させるために提供され、かつ伝達され得る。
2015525417.tif 000002
【特許請求の範囲】
【請求項１】
電子書籍を音で向上させるシステムであって、
向上オーディオコンテンツを記憶するように構成された電子データ記憶装置と、
前記電子データ記憶装置と通信状態にあるコンピューティングデバイスであって、
前記電子書籍の一部分を表示し、
前記電子書籍の前記表示される部分中で発生するオブジェクトであって、語および画像のうちの少なくとも一方を含み、かつ音と関連付けられる、オブジェクトを特定し、
前記オブジェクトが関連付けられる前記音を含む向上オーディオコンテンツを選択し、かつ
前記電子書籍の前記部分が表示されている間に、前記選択された向上オーディオコンテンツを再生するように構成された、コンピューティングデバイスと、を備える、システム。
【請求項２】
前記電子書籍の前記表示される部分が、前記電子書籍のページである、請求項２に記載のシステム。
【請求項３】
前記コンピューティングデバイスが、
前記コンピューティングデバイスのユーザと関連付けられた読み取り装置の速度を計算し、かつ
前記ユーザが前記表示される部分の中の前記オブジェクトに到達する時間を、前記計算された読み取り装置の速度に少なくとも部分的に基づいて推定するようにさらに構成され、
前記選択された向上オーディオコンテンツが前記推定された時間に再生される、請求項２に記載のシステム。
【請求項４】
前記コンピューティングデバイスが、
前記電子書籍の前記表示される部分中の前記音と関連付けられた前記オブジェクトに印を付け、かつ
前記印を付けられたオブジェクトとのユーザ相互作用を検出するようにさらに構成され、
前記選択された向上オーディオコンテンツが、前記印を付けられたオブジェクトとの前記検出されたユーザ相互作用に応答して再生される、請求項２に記載のシステム。
【請求項５】
基本コンテンツ項目を向上させるためのコンピュータ実装方法であって、
特定のコンピュータ実行可能命令で構成された１つ以上のコンピューティングデバイスの制御下で、
前記基本コンテンツ項目の一部分のテキスト表現に少なくとも部分的に基づいて、前記基本コンテンツ項目の前記部分の１つ以上の特徴を判定することと、
前記基本コンテンツ項目の前記部分の前記１つ以上の特徴に少なくとも部分的に基づいて、向上コンテンツを選択することと、
ユーザコンピューティングデバイスに、前記選択された向上コンテンツを伝達させることと、を含む、コンピュータ実装方法。
【請求項６】
前記基本コンテンツ項目の前記部分の前記１つ以上の特徴が、前記基本コンテンツ項目の分野、前記基本コンテンツ項目の前記部分の雰囲気、前記基本コンテンツ項目の前記部分の位置、前記基本コンテンツ項目の前記部分の歴史的設定、および前記基本コンテンツ項目の前記部分の時刻のうちの少なくとも１つを含む、請求項５に記載のコンピュータ実装方法。
【請求項７】
前記基本コンテンツ項目の前記部分の前記１つ以上の特徴のうちの少なくとも１つが、優先順位付けされる特徴である、請求項５に記載のコンピュータ実装方法。
【請求項８】
前記選択された向上コンテンツがデジタルオーディオコンテンツを含み、前記基本コンテンツ項目の前記部分中のオブジェクトを特定することをさらに含み、前記オブジェクトが音と関連付けられ、前記デジタルオーディオコンテンツが前記音を含む、請求項５に記載のコンピュータ実装方法。
【請求項９】
前記ユーザコンピューティングデバイスが、前記ユーザコンピューティングデバイスが前記基本コンテンツ項目の前記部分を伝達する間に、前記選択された向上コンテンツを伝達するように指示される、請求項５に記載のコンピュータ実装方法。
【請求項１０】
前記選択された向上コンテンツが前記ユーザコンピューティングデバイスによって少なくとも１回伝達された後で、前記基本コンテンツ項目の前記部分が前記ユーザコンピューティングデバイスによって伝達され続けるかどうかを判定することと、
前記基本コンテンツ項目の前記部分が前記ユーザコンピューティングデバイスによって伝達され続ける場合、
さらなる向上コンテンツを選択することと、
前記ユーザコンピューティングデバイスに、前記さらなる向上コンテンツを伝達させることと、をさらに含む、請求項１３に記載のコンピュータ実装方法。
【請求項１１】
向上コンテンツを提供するシステムであって、
向上コンテンツを記憶するように構成された電子データ記憶装置と、
前記電子データ記憶装置と通信状態にある第１のコンピューティングデバイスであって、
第２のコンピューティングデバイスから、基本コンテンツ項目用の向上コンテンツに対する要求を受信し、
前記基本コンテンツ項目の特徴を特定し、
前記電子データ記憶装置に記憶された向上コンテンツを、前記基本コンテンツ項目の前記特徴に少なくとも部分的に基づいて選択し、かつ
実質的に前記第２のコンピューティングデバイスが前記基本コンテンツ項目を伝達する間に、前記選択された向上コンテンツを前記第２のコンピューティングデバイスに提供するように構成される、第１のコンピューティングデバイスと、を備える、システム。
【請求項１２】
前記基本コンテンツ項目の前記特徴が、人間相互作用タスクシステムから受信された入力に少なくとも部分的に基づいて特定される、請求項１１に記載のシステム。
【請求項１３】
前記向上コンテンツの前記選択が、向上コンテンツ設定ファイルによって指定される、請求項１１に記載のシステム。
【請求項１４】
前記第１のコンピューティングデバイスが、
向上コンテンツを記憶するネットワークコンテンツライブラリにアクセスし、
前記ネットワークコンテンツライブラリから、前記基本コンテンツ項目の前記特徴に少なくとも部分的に基づいて、さらなる向上コンテンツを選択し、かつ
前記さらなる向上コンテンツを前記第２のコンピューティングデバイスに提供するようにさらに構成される、請求項１１に記載のシステム。
【請求項１５】
前記第１のコンピューティングデバイスが、
さらなる向上コンテンツを記憶するネットワークコンテンツライブラリにアクセスし、
前記ネットワークコンテンツライブラリから、前記基本コンテンツ項目の前記特徴に少なくとも部分的に基づいて、さらなる向上コンテンツを選択し、かつ
前記第２のコンピューティングデバイスに、前記さらなる向上コンテンツを前記ネットワークコンテンツライブラリから獲得するように指示するようにさらに構成される、請求項１１に記載のシステム。
【発明の詳細な説明】
【背景技術】
【０００１】
一般的に説明すると、ユーザコンピューティングデバイスは、オーディオブック、電子書籍、歌、ビデオ、テレビ番組、コンピュータおよびビデオゲーム、マルチメディアコンテンツ等のコンテンツ項目の再生または表示を容易化し得る。例えば、電子書籍読み取り装置のユーザコンピューティングデバイスは、画面上で電子書籍を表示、または、スピーカーもしくはヘッドフォンを通じてオーディオブックを再生し得る。一部の例では、コンテンツ項目の発行者または作者は、サウンドトラック、ビデオクリップ、マルチメディアコンテンツなどのコンテンツ項目に付随する補足コンテンツを提供し得る。この補足コンテンツは、ユーザが、コンテンツ項目を消費するに連れて、ユーザコンピューティングデバイスによって再生され得る。
【発明の概要】
【発明が解決しようとする課題】
【０００２】
一部の現在の方式では、この補足コンテンツは、具体的にはコンテンツ項目に対して作成される。例えば、特定の電子書籍またはオーディオブックのサウンドトラックは、その電子書籍またはオーディオブックに記憶または同期され得る。しかしながら、この方式は、時間がかかり、高価で、向上されるべきコンテンツの各々の項目に対して新しい補足コンテンツの生成を必要とする可能性がある。この目的があって生成された補足コンテンツは、特に、このコンテンツ項目に対してほんの少量の補足コンテンツしか生成されない場合には、コンテンツのユーザにとっては「陳腐」になり得る。そのうえ、ユーザが、コンテンツ項目を備えたこの補足コンテンツを嫌いな場合、彼または彼女は、この補足コンテンツを禁止する以外に頼りとするものはない。同様に、補足コンテンツをカスタマイズすることを希望するユーザは、これらの方式下で、そうする機会を有し得ない。
【課題を解決するための手段】
【０００３】
一般的に説明して、本開示の態様は、デジタルコンテンツを向上させることに関する。この点で、コンピュータに実装されたコンテンツ向上サービスが、開示される。オーディオブック、電子書籍、歌、ビデオもしくはコンピュータゲーム、テレビ番組、映画、マルチメディアクリップなどの基本コンテンツ項目は、コンテンツ向上サービスおよび／またはユーザによって選択された音、歌、ビデオクリップ、画像、テキスト、アニメ、コンピュータもしくはビデオミニゲームなどのオーディオ、ビジュアル、またはオーディオビジュアルの１つ以上の向上コンテンツ項目で向上され得る。したがって、一部の実施形態では、ユーザコンピューティングデバイスは、向上コンテンツが選択された基本コンテンツ項目を伝達しながら、向上コンテンツを（例えば、ビジュアル向上をユーザコンピューティングデバイスの画面上に表示するおよび／またはオーディオ向上コンテンツをユーザコンピューティングデバイスに接続されたスピーカーもしくはヘッドフォンを通じて再生することによって）伝達する。向上コンテンツは、具体的には基本コンテンツ項目に付随するように作成され得る、または、それは、基本コンテンツ項目に無関連の既存のコンテンツであり得る。
【０００４】
コンテンツ向上サービスは、基本コンテンツ項目の一部分を分析して、基本コンテンツ項目のこの部分の１つ以上の特徴を特定する。コンテンツ向上サービスは、基本コンテンツ項目の一部分の特徴を、機械コンテンツ分析技法によって、人間が入力することによって、または、基本コンテンツ項目に関する情報を保つ外部リソースからその部分に関する情報を獲得することによって、判定し得る。これらの特徴は、基本コンテンツ項目の部分に対する向上コンテンツの選択を誘導するために用いられ得る。基本コンテンツ項目の一部分の特徴は、例えば、基本コンテンツ項目の分野、基本コンテンツ項目のこの部分の雰囲気、基本コンテンツ項目のこの部分の地理的設定、基本コンテンツ項目のこの部分の歴史的設定、および基本コンテンツ項目のこの部分の時刻を含み得る。例えば、海辺に設定された基本コンテンツ項目の一部分に対しては、コンテンツ向上サービスは、波の砕けるもしくはカモメの鳴く音または海辺の画像などの向上コンテンツを選択し得る。別の例では、朝の台所で設定された基本コンテンツ項目の一部分に対しては、コンテンツ向上サービスは、トースターが跳ね上がるまたはベーコンが焼ける音などの向上コンテンツを選択し得る。基本コンテンツ項目の特徴は、本明細書では「ラベル」とも呼ばれ得る。
【０００５】
コンテンツ向上サービスはまた、基本コンテンツ項目の部分中に存在する向上オブジェクト（時々、本明細書では単に「オブジェクト」と呼ばれる）に対する基本コンテンツ項目の部分を分析し得る。向上オブジェクトの存在は、伝達される具体的な音、画像、ビデオクリップなどの特定の向上コンテンツ項目を示唆または意味し得る。一部の実施形態では、向上オブジェクトは、基本コンテンツ項目の部分中に存在する少なくとも１つの語、句、または文を含む。向上オブジェクトはまた、電子書籍のページ上の画像として現れ得る、または、オーディオブック中に朗読され得る（例えば、話され得る、歌われ得る、叫ばれ得るなど）。一部の実施形態では、特定のタイプの向上コンテンツは、向上オブジェクトによって特定または示唆される。向上オブジェクトは、どの特定のタイプの向上コンテンツが向上オブジェクトによってコールされ得るかによって、音オブジェクト、画像オブジェクト、または別のタイプの向上オブジェクトであり得る。例えば、「牛」という語は、モーという音に関連付けられた音オブジェクト、牛の絵と関連付けられた画像オブジェクト、または双方であり得る。オノマトペアもまた、音オブジェクトであり得る（例えば、「風が吠える」）。
【０００６】
一部の実施形態では、基本項目の一部分の特徴は、基本コンテンツ項目のその部分中に存在する向上オブジェクトに対応するある向上コンテンツ項目の選択に影響し得る。例えば、音オブジェクト「鳥」は、ホラーがテーマのオーディオブック中で朗読され得る。したがって、カラスの鳴き声などのホラーテーマに適合する鳥の音が、ある向上コンテンツ項目として選択され得る。別の例では、音オブジェクト「ラジカセ」は、１９８０年代に設定された電子書籍に現れ得る。したがって、１９８０年代のラジオで人気があった歌が、向上コンテンツ項目として選択され得る。
【０００７】
一部の基本コンテンツ項目では、向上オブジェクトは存在しない。むしろ、ある向上コンテンツ項目が、その特徴またはラベルが、この向上コンテンツ項目が一緒に伝達される基本コンテンツ項目の一部分に類似している場合には、選択され得る。ある向上コンテンツ項目の特徴は、本明細書では「ラベル」とも呼ばれ得る。１つの例では、基本コンテンツ項目の一部分は、自然言語技法または他のコンテンツ分析技法を用いて分析して、その部分の事象または雰囲気を判定し得る。例えば、基本コンテンツ項目の一部分は、「パーティー」および「祝う」という語を含んで、愉快な雰囲気を示し得る。長調の速い歌などのこの愉快な雰囲気に対応する向上コンテンツが、この愉快な部分に付随するように選択され得る。ある向上コンテンツ項目の特徴は、コンテンツ向上サービスによって事前割り当てられるか、または、特徴は、この向上コンテンツ項目を分析することによって判定され得る。例えば、コンテンツ向上サービスは、１つ以上のルールまたはグラフを保って、コンテンツ項目の特徴を判定し得る。例としてのルールは、「長調の速い歌は、愉快な特徴を有する」であり得る。
【０００８】
当業者は、ある向上コンテンツ項目は、基本コンテンツ項目を伝達するコンピューティングデバイス上に記憶する必要はないことを理解するであろう。例えば、ある向上コンテンツ項目は、ネットワーク上で、伝達コンピューティングデバイス（例えば、ユーザコンピューティングデバイス）に対して、コンテンツ向上サーバまたは伝達コンピューティングデバイスの遠隔に位置するネットワークコンテンツライブラリなどの外部のリソースからストリーミングされ得る。ある向上コンテンツ項目もまた、伝達するコンピューティングデバイスに送信される前に、複数の外部リソース間で中継され得る。例えば、コンテンツ向上サーバは、ネットワークコンテンツライブラリから向上コンテンツを要求して向上コンテンツを獲得し、この獲得した向上コンテンツを伝達コンピューティングデバイスに送信し得る。
【０００９】
どの向上コンテンツ項目が、基本コンテンツ項目のどの部分に付随するかの選択は、ユーザによってまたはコンテンツ向上サービスによってなされ得るおよび／または動的に変更され得る。これらの選択結果は、基本コンテンツ項目と一緒に用いられるように、収集されて、向上コンテンツ設定ファイルまたはコンテンツパックとして記憶され得る。向上コンテンツ設定ファイルまたはコンテンツパックは、ネットワーク上で、コンテンツ向上サーバからユーザコンピューティングデバイスまたはその逆に送信され得る。ユーザコンピューティングデバイスはまた、向上コンテンツ設定ファイルまたはコンテンツパックを別のユーザコンピューティングデバイスに送信し得る。
【００１０】
前述の態様および付随する利点の多くは、以下の添付図面と一緒に見たとき、次の詳細な説明を参照してよりよく理解するにつれて、より容易に理解されるであろう。
【図面の簡単な説明】
【００１１】
【図１】コンテンツ向上サービスが動作し得る例示的なネットワーク環境の略図である。
【図２】例示的なコンテンツ向上サーバの略図である。
【図３】向上コンテンツを選択して伝達する例示的なルーチンを示すフロー図である。
【図４】向上コンテンツを獲得するための例示的なルーチンを示すフロー図である。
【図５】コンテンツの例示的な基本コンテンツ項目の部分の特徴を示す略図である。
【図６】コンテンツ項目の部分に向上コンテンツ項目を割り当てる例示的なユーザインターフェースを示す絵図である。
【図７】コンテンツ項目の一部および向上コンテンツ項目を含む例示的なユーザインターフェースを示す絵図である。
【発明を実施するための形態】
【００１２】
図１に目を転じると、例示的なネットワーク環境１００が示されている。ネットワーク環境１００は、ユーザコンピューティングデバイス１０２、ネットワークコンテンツライブラリ１０４、ネットワーク１０６、人間相互作用タスクシステム１０８、コンテンツ向上サーバ１１０、ユーザコンテンツライブラリ１１２、およびコンテンツデータ記憶装置１１４を含み得る。ネットワーク環境１００のこれらの構成要素は、ローカルにまたはネットワーク１０６上で互いに通信状態にあり得る。
【００１３】
ユーザコンピューティングデバイス１０２は、ラップトップもしくはタブレットコンピュータ、パソコン、パーソナルデジタルアシスタント（ＰＤＡ）、ハイブリッドＰＤＡ／携帯電話、携帯電話、電子書籍読み取り装置、セットトップボックス、カメラ、オーディオブックプレイヤー、デジタルメディアプレイヤー、ビデオゲームコンソール、店内売店、テレビ、１つ以上のプロセッサ、コンピューティングデバイスに含まれる統合されたコンポーネント、家電製品、車両もしくは機械類に含まれる電子デバイス、ゲームデバイス等のネットワーク１０６上で通信することが可能な任意のコンピューティングデバイスであり得る。ユーザコンピューティングデバイス１０２は、一般的に、ユーザコンピューティングデバイス１０２のユーザに対してコンテンツを伝達することが可能であり得る。例えば、ユーザコンピューティングデバイス１０２は、可聴出力をスピーカー、ヘッドフォン等を介して出力することによってオーディオコンテンツを再生することが可能であり得る。ユーザコンピューティングデバイス１０２はまた、画像またはビデオコンテンツを表示画面上に表示することが可能であり得る。ユーザコンピューティングデバイス１０２はまた、ネットワーク１０６上で、通信して、例えば、ある向上コンテンツ項目をネットワークコンテンツライブラリ１０４またはコンテンツ向上サーバ１１０から要求することが可能であり得る。
【００１４】
ユーザコンピューティングデバイス１０２は、ユーザコンテンツライブラリ１１２と通信状態にあり得る。ユーザコンテンツライブラリ１１２は、音、歌、ビデオクリップ、画像、アニメ、コンピュータ、またはビデオミニゲームなどの向上コンテンツ項目を電子的に記憶し得る。これらの向上コンテンツ項目は、それらと関連付けられた特徴またはラベルを有し得る。一部の実施形態では、ある向上コンテンツ項目は、ユーザによってある特徴を有するものと指定された群（例えば、再生リストまたは待ち行列）に編成され得る。例えば、ユーザは、「パーティー」の再生リストを有し得る。コンテンツ向上サービスは、「パーティー」再生リスト中のこれらの向上コンテンツ項目を「パーティー」の特徴を有するものとして取り扱い得る。再生リスト中のこれらの向上コンテンツ項目は、パーティーを記述する基本コンテンツ項目の一部分と一緒に伝達されるように選択され得る。ユーザコンテンツライブラリ１１２は、図３について以下に説明するように、ある向上コンテンツ項目を選択するために用いられる１つ以上のグラフまたはルールを追加的に記憶し得る。一部の実施形態では、ユーザコンテンツライブラリ１１２はまた、１つ以上の基本コンテンツ項目を記憶する。ユーザコンテンツライブラリ１１２は、ハードディスクドライブ、ソリッドステートメモリ、および／またはユーザコンピューティングデバイス１０２にとってアクセス可能ないずれかの他のタイプの非一時的コンピュータ読み取り可能記憶媒体として具現化され得る。ユーザコンテンツライブラリ１１２はまた、本開示の精神および範囲から逸脱することなく、技術上周知なように、複数の記憶デバイス上で分配または区分化され得る。
【００１５】
ネットワークコンテンツライブラリ１０４は、ネットワーク１０６上で、ユーザコンピューティングデバイス１０２によってまたはコンテンツ向上サーバ１１０によってアクセスされ得る、ある向上コンテンツ項目をホストし得るまたは保ち得る。ネットワークコンテンツライブラリは、ある向上コンテンツ項目をホストするまたは保つために１つ以上の電子データ記憶装置を含み得るが、また、図３について以下に説明するように、ある向上コンテンツ項目を選択するために用いられる１つ以上のグラフまたはルールをさらに記憶し得る。ネットワークコンテンツライブラリは、例えば、ネットワークベースのソーシャルコンテンツアグリゲータ、ネットワークベースのコンテンツホスティングコミュニティー、ネットワークベースのコンテンツ送達プラットフォーム、またはこれらの組み合わせであり得る。要求があると、ネットワークコンテンツライブラリ１０４は、要求された向上コンテンツ項目を、ユーザコンピューティングデバイス１０２またはコンテンツ向上サーバ１１０などの要求元のコンピューティングデバイスに送信し得る。ユーザコンテンツライブラリ１１２の場合のように、ネットワークコンテンツライブラリ１０４は、ある向上コンテンツ項目を、再生リストまたは待ち行列などの群に編成し得る。群に適用されるラベルまたは特徴はまた、上述したように、群内の全ての向上コンテンツ項目に適用され得る。
【００１６】
ネットワーク１０６は、任意の有線ネットワーク、無線ネットワーク、またはこれらの組み合わせであり得る。加えて、ネットワーク１０６は、パーソナルエリアネットワーク、ローカルエリアネットワーク、ワイドエリアネットワーク、ケーブルネットワーク、衛星ネットワーク、携帯電話ネットワーク、またはこれらの組み合わせであり得る。インターネットまたは他の上述したタイプの通信ネットワークのいずれかを介する通信のためのプロトコルおよびコンポーネントは、コンピュータ通信の当業者には周知であり、したがって、本明細書により詳しく説明する必要はない。
【００１７】
人間相互作用タスクシステム１０８は、コンテンツ向上サーバ１１０を支援するために、ネットワーク環境に含まれ得る。一般的に言って、人間相互作用タスクシステム１０８は、人間相互作用タスク（ＨＩＴ）を電子的に処理するコンピュータ化されたシステムである。ＨＩＴは、コンピューティングデバイスにとっては、実施するのに困難で、時間がかかる、または高価なタスクであり得る。しかしながら、人間にとってＨＩＴを実施するのは比較的容易で迅速であり得る。したがって、人間相互作用タスクシステム１０８は、例えば、情報を収集するためにもしくは照会に答えるために人間の作業者にＨＩＴを実施するように、または、さらなる処理および／または要求者に提示するために、人間相互作用タスクシステム１０８に対して結果もしくは回答を返送するように要求し得る。したがって、一部の実施形態では、コンテンツ向上サービスは、人間相互作用タスクシステム１０８に対して、コンテンツ項目に関する１つ以上の照会を人間相互作用タスクシステム１０８の人間の作業者に対して提出するように指示する。例えば、人間の作業者は、ある基本コンテンツ項目の特徴または向上コンテンツ項目の特徴を特定する、この基本コンテンツ項目中の向上オブジェクトを特定する、または基本コンテンツ項目と一緒に用いられる向上コンテンツを示唆するように依頼され得る。人間相互作用タスクシステム１０８は、これらの照会に対する回答を受信して、それらをユーザコンピューティングデバイス１０２またはコンテンツ向上サーバ１１０に送信して、コンテンツ向上サービスの動作を誘導し得る。人間相互作用タスクシステム１０８の人間の作業者は、自発的に、これらおよび他のタスクに対して応答し、かつこのコンテンツ項目に関する他の情報をコンテンツ向上サーバ１１０に通信し得る。
【００１８】
コンテンツ向上サーバ１１０は、基本コンテンツ項目を向上させるために、様々なタスクを実施し得るコンピューティングデバイスである。例えば、コンテンツ向上サーバ１１０は、コンテンツを向上させる要求をユーザコンピューティングデバイス１０２からネットワーク１０６を介して受信し、この要求に応答して、ある向上コンテンツ項目をユーザコンピューティングデバイス１０２に送信し得る。向上コンテンツを基本コンテンツ項目と整合させることおよびコンテンツの特徴を分析することなどのコンテンツ向上サーバ１１０のさらなる動作は、図２について説明する。
【００１９】
コンテンツ向上サーバ１１０は、コンテンツデータ記憶装置１１４と通信状態にあり得る。ユーザコンテンツライブラリ１１２と同様に、コンテンツデータ記憶装置１１４は、音、歌、ビデオクリップ、画像、アニメ、コンピュータもしくはビデオミニゲームなどの向上コンテンツ項目を電子的に記憶し得る。一部の実施形態では、コンテンツデータ記憶装置１１４はまた、１つ以上の基本コンテンツ項目を記憶する。コンテンツデータ記憶装置１１４は、図３について以下に説明するように、ある向上コンテンツ項目を選択するために用いられる１つ以上のグラフまたはルールを追加的に記憶し得る。コンテンツデータ記憶装置１１４は、ハードディスクドライブ、ソリッドステートメモリ、および／またはコンテンツ向上サーバ１１０にとってアクセス可能ないずれかの他のタイプの非一時的コンピュータ読み取り可能記憶媒体として具現化され得る。コンテンツデータ記憶装置１１４はまた、本開示の精神および範囲から逸脱することなく、技術上周知なように、複数の記憶デバイス上で分配または区分化され得る。
【００２０】
ユーザコンピューティングデバイス１０２およびコンテンツ向上サーバ１１０は、各々が、それぞれのコンテンツユーザコンピューティングデバイス１０２およびコンテンツ向上サーバ１１０のインスタンスを実行する複数のコンポーネントとして、各々が具現化される。ユーザコンピューティングデバイス１０２およびコンテンツ向上サーバ１１０を実装するサーバまたは他のコンピューティングシステムは、ネットワークインターフェース、メモリ、処理ユニット、およびコンピュータ読み取り可能媒体ドライブを含み得るが、そのすべてが通信バスを介して互いと通信し得る。そのうえ、処理ユニットは、それ自身が、コンピューティングデバイスと呼ばれる。ネットワークインターフェースは、ネットワーク１０６および／または他のネットワークもしくはコンピュータシステム上に接続性を提供し得る。処理ユニットは、処理ユニットがユーザコンピューティングデバイス１０２およびコンテンツ向上サーバ１１０を動作させるために実行するプログラム命令を含むメモリに、および、これから通信し得る。メモリは、一般的には、ＲＡＭ、ＲＯＭ、および／または他の持続性のおよび／または補助的な非一時的コンピュータ読み取り可能記憶媒体を含む。
【００２１】
上述したデバイスの多くがオプションであり、かつ環境１００の実施形態はデバイスを結合し得るまたはし得ないことが認識されるであろう。さらにそのうえ、デバイスは区別可能または離散的である必要はない。デバイスはまた、環境１００中で再編成され得る。例えば、コンテンツ向上サーバ１１０は、単一の物理的サーバという形態で表され得る、または、代替的には、複数の物理的サーバに分割され得る。コンテンツ向上サービス全体は、単一のユーザコンピューティングデバイス１０２という形態でも表され得る。加えて、一部の実施形態では、コンテンツ向上サービスは、ホストされるコンピューティング環境中に実装された１つ以上の仮想マシンによって実行され得ることに留意すべきである。ホストされるコンピューティング環境は、１つ以上の迅速に供給され、かつ解放されるコンピューティングリソースを含み得るが、これらのコンピューティングリソースは、コンピューティングデバイス、ネットワーキングデバイス、および／または記憶デバイスを含み得る。ホストされるコンピューティング環境はまた、クラウドコンピューティング環境とも呼ばれ得る。
【００２２】
図２は、図１に示すコンテンツ向上サーバ１１０の略図である。コンテンツ向上サーバ１１０は、コンテンツ向上サービスを実装するために用いられ得るコンピュータのハードウェアおよびソフトウェアのコンポーネントの配列を含む。図２は、図１に示すコンテンツ向上サーバ１１０の一般的なアーキテクチャを示す。当業者は、コンテンツ向上サーバ１１０が、図２に示すそれらより多くの（または少ない）コンポーネントを含み得ることを理解するであろう。しかしながら、これらの概して従来型のコンポーネントの全てを、有効な開示を提供するために、示すことは必要ではない。
【００２３】
コンテンツ向上サーバ１１０は、処理ユニット２０２、ネットワークインターフェース２０４、非一時的なコンピュータ読み取り可能媒体ドライブ２０６、および入／出力デバイスインターフェース２０８を含み得るが、そのすべてが通信バスを介して互いと通信し得る。図示するように、コンテンツ向上サーバ１１０は、オプションとしては、オプションのディスプレイ２１８およびオプションの入力デバイス２２０と関連付けられるまたは通信状態にある。ディスプレイ２１８および入力デバイス２２０は、ユーザが、例えば、統合された店内売店などのコンテンツ向上サーバ１１０と直接的に相互作用する実施形態で用いられ得る。他の実施形態では、ディスプレイ２１８および入力デバイス２２０は、図１に示すユーザコンピューティングデバイス１０２に含まれ得る。ネットワークインターフェース２０４は、コンテンツ向上サーバ１１０に、１つ以上のネットワークまたはコンピューティングシステムに対する接続性を備える。処理ユニット２０２は、したがって、他のコンピューティングシステム（ユーザコンピューティングデバイス１０２など）またはサービスからネットワークを介して情報および命令を受信し得る。処理ユニット２０２はまた、メモリ２１０に対しておよびこれから通信し、さらに、入／出力デバイスインターフェース２０８を介してオプションのディスプレイ２１８用の出力情報を提供し得る。入／出力デバイスインターフェース２０８は、キーボード、マウス、デジタルペン、タッチ画面、または、モーションキャプチャを介して記録されたジェスチャーなどの入力をオプションの入力デバイス２２０から受け付け得る。入／出力デバイスインターフェース２２０はまた、オーディオデータを、スピーカーまたはヘッドフォン（図示せず）に出力し得る。
【００２４】
メモリ２１０は、コンテンツ向上サービスの１つ以上の実施形態を実装するために処理ユニット２０２が実行するコンピュータプログラム命令を含む。メモリ２１０は、一般的に、ＲＡＭ、ＲＯＭ、および／または他の持続性のもしくは非一時的なコンピュータ読み取り可能記憶媒体を含む。メモリ２１０は、コンテンツ向上サーバ１１０の一般的な管理および操作に際して処理ユニット２０２によって用いられるコンピュータプログラム命令を提供するオペレーティングシステム２１４を記憶し得る。メモリ２１０は、コンテンツ向上サービスの態様を実装するための他の情報をさらに含み得る。例えば、１つの実施形態では、メモリ２１０は、ユーザコンピューティングデバイス１０２などのコンピューティングデバイス上に表示するために、ユーザインターフェースの生成（そのための命令を提供することなどによって）を容易化するユーザインターフェースモジュール２１２を含む。例えば、ユーザインターフェースは、ユーザコンピューティングデバイス１０２上にインストールされたウェブブラウザなどのナビゲーションインターフェースを介して表示され得る。加えて、メモリ２１０は、コンテンツデータ記憶装置１１４を含み得るまたはこれと通信し得る。コンテンツデータ記憶装置１１４中に記憶されているコンテンツは、図１に説明するように、オーディオ、ビジュアル、またはマルチメディアという形態の基本コンテンツ項目およびある向上コンテンツ項目を含み得る。
【００２５】
ユーザインターフェースモジュール２１２に加えて、メモリ２１０は、処理ユニット２０２によって実行され得るコンテンツ向上モジュール２１６を含み得る。１つの実施形態では、コンテンツ向上モジュール２１６は、コンテンツ向上サービスを実装するために用いられ得る。例えば、コンテンツ向上モジュール２１６は、とりわけ、ある向上コンテンツ項目を選択してそれらを、基本コンテンツ項目の部分に割り当てるために、コンテンツ向上サーバ１１０に、ある向上コンテンツ項目をネットワークコンテンツライブラリ１０４から獲得して、それらをコンテンツデータ記憶装置１１４に記憶するように指示するために、または、コンテンツ向上サーバ１１０に、ある向上コンテンツ項目をユーザコンピューティングデバイス１０２にネットワーク１０６上で送信するように指示するために、用いられ得る。
【００２６】
当業者は、一部の実施形態において、コンテンツ向上サービスが、ユーザコンピューティングデバイス１０２によって部分的にまたは全体的に実装されることを認識するであろう。したがって、ユーザコンピューティングデバイス１０２は、コンテンツ向上モジュール２１６と、処理ユニット２０２、ネットワークインターフェース２０４、非一時的なコンピュータ読み取り可能媒体ドライブ２０６、入／出力インターフェース２０８、メモリ２１０、ユーザインターフェースモジュール２１２などを含む、コンテンツ向上サーバ１１０の一部として図示されたコンポーネントに類似して動作する他のコンポーネントと、を含み得る。
【００２７】
図３は、１つ以上の向上コンテンツ項目を基本コンテンツ項目の１つ以上の部分に割り当てる、コンテンツ向上サービスが後に続き得る例示的なルーチン３００を示す。ルーチン３００は、ユーザコンピューティングデバイス１０２、コンテンツ向上サーバ１１０、または双方によって全体的または部分的に実行され得る。
【００２８】
ブロック３０２では、コンテンツ向上サービスは、基本コンテンツ項目の一部分中に存在する向上オブジェクトを突き止め得る。向上オブジェクトは、テキストまたはグラフという形態で現れ得るし、またはオーディオコンテンツ項目中で朗読され得る。例えば、向上オブジェクトはまた、オーディオブックの書き起こし、ビデオ、テレビのエピソードなど、コンテンツ項目のテキスト表現で特定され得る。電子書籍もまた、コンテンツ項目のテキスト表現物であり得る。上述したように、向上オブジェクトは、基本コンテンツ項目の一部分中に現れ得るし、この基本コンテンツ項目のこの部分が伝達されている間に、ある向上コンテンツ項目が伝達されることを示唆、指定、または意味し得る。向上オブジェクトの例は、音（オノマトペアなどの、または動物、車両、ラジオなどのように音を生成するオブジェクトなど）に対応する語、音に対応する画像、画像、ビデオクリップ、もしくはアニメ等に対応する語を含み得る。
【００２９】
向上オブジェクトは、様々な技法を用いて、基本コンテンツ項目中で突き止められ得る。１つの技術上周知の機械技法を用いて、向上オブジェクトを特定し得る。例えば、コンテンツ向上サービスは、自然言語技法、意味解析、命名エンティティ抽出、または他のコンテンツ分析技法を採用し得る。コンテンツ項目中のオブジェクトを突き止めるための機械技法の使用に関するさらなる情報は、２０１０年１２月１７日に出願された、「ＧＲＡＰＨＩＣＡＬＬＹ  ＲＥＰＲＥＳＥＮＴＩＮＧ  ＡＳＳＯＣＩＡＴＩＯＮＳ  ＢＥＴＷＥＥＮ  ＲＥＦＥＲＥＮＴＳ  ＡＮＤ  ＳＴＯＲＩＥＳ」という題名の米国特許出願第１２／９７２，０５８号の中と、２０１０年９月１３日に出願された、「ＳＹＳＴＥＭＳ  ＡＮＤ  ＭＥＴＨＯＤＳ  ＦＯＲ  ＡＳＳＯＣＩＡＴＩＮＧ  ＳＴＯＲＩＥＳ  ＷＩＴＨ  ＲＥＬＡＴＥＤ  ＲＥＦＥＲＥＮＴＳ」という題名の米国特許出願第１２／８８１，０２１号の中に発見され得る。これらの出願の双方の開示は、本明細書中に、それらの全体を参照として組み込まれる。別の実施形態では、コンテンツ向上サービスは、人間相互作用タスクシステム１０８からの入力を統合して、基本コンテンツ項目中の向上オブジェクトを突き止める。例えば、人間相互作用タスクシステム１０８は、基本コンテンツ項目の一部分（電子書籍中のテキストの一節またはオーディオブックの抜粋など）を人間相互作用タスクシステム１０８の人間の作業者に伝達して、その人間の作業者に、基本コンテンツ項目のこの部分中の１つ以上の向上オブジェクトを特定するように依頼し得る。人間の作業者はまた、向上オブジェクトと関連付けられ得る向上コンテンツを特定するまたは提供するように依頼され得る。さらに別の実施形態では、コンテンツ向上サービスは、基本コンテンツ項目の部分中に存在することが周知である向上オブジェクトのリストに依存し得る。このリストは、例えば、コンテンツ向上サービスと関連付けられた一人以上の専門家によってまたはユーザ入力によって生成され得る。他の例では、リストは、ネットワークコンテンツライブラリ、ネットワークベースの知識ベース、またはネットワークベースのエンサイクロペディアから獲得され得る。
【００３０】
ブロック３０４では、コンテンツ向上サービスは、ブロック３０２で特定された向上オブジェクトの特徴を特定し得る。向上オブジェクトの特徴は、例えば、どのタイプの向上コンテンツが向上オブジェクト（音、歌、ビデオ、画像など）にとって適切な、どれくらい長く向上コンテンツが伝達されるか、または向上オブジェクトによって指定された向上コンテンツの他の属性（例えば、オーディオ向上コンテンツのボリューム、オーディオもしくはビデオの向上コンテンツの分野など）を含み得る。例えば、「その車両はまる１０秒間にわたってクラクションを鳴らした」という文は、「クラクションを鳴らした、」が音オブジェクトを示す「クラクションを鳴らした」というオノマトペアと、「まる１０秒間」というどのくらい長く車両がクラクションを鳴らしたかを示唆する情報とを含む。「クラクションを鳴らした」を向上オブジェクトとして特定すると、コンテンツ向上サービスは、「クラクションを鳴らした」という向上オブジェクトの特徴は、「クラクションを鳴らした」という語が音を示し、かつ音の持続時間が１０秒間であるはずであるという事実を含むと判定し得る。別の例では、基本コンテンツ項目は、「キャメロンは点描画家の絵画をじっと見た」という文を含み得る。「絵画」を向上オブジェクトと特定すると、コンテンツ向上サービスは、「絵画」という向上オブジェクトの特徴は、「絵画」という語が画像を示し、かつ画像は点描画家の絵画であるはずだという事実を含むと判定し得る。
【００３１】
向上オブジェクトの特徴は、様々な方法で特定され得る。１つの実施形態では、技術上周知の機械技法を用いて、向上オブジェクトの特徴を特定し得る。例えば、コンテンツ向上サービスは、自然言語技法、意味論分析、命名エンティティ抽出、または、技術上周知の他のコンテンツ分析技法を採用して、例えば、向上オブジェクトの近傍になる任意の語、句、または文を分析することによって、向上オブジェクトの特徴を判定し得る。別の実施形態では、コンテンツ向上サービスは、人間相互作用タスクシステムからの入力を統合して、向上オブジェクトの特徴を特定し得る。例えば、人間相互作用タスクシステムは、基本コンテンツ項目の一部分（電子書籍中のテキストの一節またはオーディオブックの抜粋など）を人間相互作用タスクシステムの人間の作業者に伝達して、どの向上オブジェクトが存在するかを示し得る。人間相互作用タスクシステムは、次に、どのタイプの向上コンテンツが向上オブジェクトによって指定されたか、どれくらい長くビデオもしくはオーディオの向上コンテンツ項目が続くべきであるかなどの向上オブジェクトの任意の特徴を特定するように、人間の作業者に依頼し得る。さらに別の実施形態では、コンテンツ向上サービスは、基本コンテンツ項目中で特定された向上オブジェクトの特徴のリストに依存し得る。このリストは、例えば、コンテンツ向上サービスと関連付けられた一人以上の専門家によってまたはユーザ入力によって生成され得る、または、リストはネットワークコンテンツライブラリ、ネットワークベースの知識ベース、またはネットワークベースのエンサイクロペディアから獲得され得る。
【００３２】
図３を再度参照すると、ブロック３０６で、コンテンツ向上サービスは、基本コンテンツ項目それ自身の特徴を特定し得る。基本コンテンツ項目の特徴は、例えば、基本コンテンツ項目の分野、基本コンテンツ項目の部分の雰囲気、基本コンテンツ項目の部分の地理的設定、基本コンテンツ項目の部分の歴史的設定、および基本コンテンツ項目の部分の時刻を含み得る。基本コンテンツ項目の特徴はまた、基本コンテンツ項目に関連したコンテンツ項目、例えば、基本コンテンツ項目と一緒に向上コンテンツとして用いられ得る他の媒体中で利用可能なコンテンツ項目の情報を含み得る。例えば、特定の題名の電子書籍を含む基本コンテンツ項目の場合、他の媒体における関連するコンテンツ項目は、同じ題名のオーディオブックおよび同じ題名の映画を含み得る。オーディオブックまたは映画のクリップは、向上コンテンツ項目として用いることが可能である。
【００３３】
一部の実施形態では、コンテンツ向上サービスは、基本コンテンツ項目の一部分の特徴を、そのコンテンツ中に存在する語を分析することによって特定する。例えば、基本コンテンツ項目中で伝達される語、句、文、画像、ビデオ等は、その部分の特徴を示し得る。例えば、「微笑む」、「笑う」、または「祝う」などの一部分中の語は、「愉快な」雰囲気の特徴をその部分に割り当てることをコンテンツ向上サービスに促し、一方、「砂」および「大洋」などの語は、「海辺」という位置特徴をその部分に割り当てることをコンテンツ向上サービスに促し得る。語、句、文等は、基本コンテンツ項目によって伝達される画像またはビデオと関連付けられ、それによって、コンテンツ向上サービスが、これらの画像またはビデオが伝達されるその部分の特徴を特定することが可能となるようにし得る。コンテンツ項目の特徴を特定する機械技法の使用に関するさらなる情報は、２０１０年１２月１７日に出願された、「ＧＲＡＰＨＩＣＡＬＬＹ  ＲＥＰＲＥＳＥＮＴＩＮＧ  ＡＳＳＯＣＩＡＴＩＯＮＳ  ＢＥＴＷＥＥＮ  ＲＥＦＥＲＥＮＴＳ  ＡＮＤ  ＳＴＯＲＩＥＳ」という題名の米国特許出願第１２／９７２，０５８号中および２０１０年９月１３日に出願された、「ＳＹＳＴＥＭＳ  ＡＮＤ  ＭＥＴＨＯＤＳ  ＦＯＲ  ＡＳＳＯＣＩＡＴＩＮＧ  ＳＴＯＲＩＥＳ  ＷＩＴＨ  ＲＥＬＡＴＥＤ  ＲＥＦＥＲＥＮＴＳ」という題名の米国特許出願第１２／８８１，０２１号中に発見され得る。これらの出願の双方の開示が、上記の参照として組み込まれている。
【００３４】
他の実施形態では、コンテンツ向上サービスは、基本コンテンツ項目の一部分の１つ以上の特徴を特定するために、人間相互作用タスクシステム１０８からの入力に依存し得る。例えば、人間相互作用タスクシステム１０８は、「どの位置または時間期間にこの部分は設定されているか」または「この部分の雰囲気はなにか」などの照会と共に基本コンテンツ項目の一部分を人間の作業者に伝達し得る。さらに別の実施形態では、コンテンツ向上サービスは、ネットワークベースのエンサイクロペディアまたは知識ベースなどのネットワークリソースから、基本コンテンツ項目に関する情報を獲得し得る。例えば、ネットワークベースのエンサイクロペディアは、コンテンツ向上サービスによってアクセスされ得る基本コンテンツ項目の１つ以上の部分の要約を保有し得る。
【００３５】
ブロック３０８では、コンテンツ向上サービスは、基本コンテンツ項目のこの部分の特徴に適合するおよび／または基本コンテンツ項目のこの部分中に存在する向上オブジェクトと一致する向上コンテンツにアクセスし得る。向上コンテンツは、ネットワーク１０６上で遠隔にアクセスし得る（例えば、ユーザコンピューティングデバイス１０２は、ネットワークコンテンツライブラリ１０４もしくはコンテンツデータ記憶装置１１４から遠隔のコンテンツにアクセスし得る、または、コンテンツ向上サーバ１１０は、ネットワークコンテンツライブラリ１０４から向上コンテンツ項目にアクセスして、それをコンテンツデータ記憶装置１１４に記憶し得る）。向上コンテンツ項目がコンピューティングデバイスによって遠隔からアクセスされる実施形態では、向上コンテンツ項目は、ストリーミング、トレント、もしくはいずれかの他のネットワークデータ転送技法または技術上周知のプロトコルによって送信され得る。向上コンテンツはまた、（例えば、ユーザコンピューティングデバイス１０２が、ユーザコンテンツライブラリ１１２にローカルでアクセスすることによって、または、コンテンツ向上サーバ１１０が、コンテンツデータ記憶装置１１４にローカルでアクセスすることによって）コンピューティングデバイスと関連付けられた電子データ記憶装置からローカルでアクセスされ得る。一部の実施形態では、基本コンテンツ項目と一緒に用いられる向上コンテンツ項目の全てが、コンテンツパックに編成されて、ユーザコンピューティングデバイス１０２に送信されるまたはこれによってアクセスされる。
【００３６】
一部の実施形態では、向上コンテンツ項目は特徴を有し得るが、これらの特徴は、例えば、向上コンテンツのタイプ、向上コンテンツの雰囲気、向上コンテンツの持続時間、向上コンテンツ項目が対応する向上オブジェクトなどを含み得る。一般的に、向上コンテンツ項目は、基本コンテンツ項目の部分とも関連付けられ得る種類の特徴を有し得る。例えば、向上コンテンツ項目は、カラスの鳴き声に対応する音ファイルであり得る。この音ファイルは、それが、「カラス」または「鳥」などの音オブジェクトに対応することを示すように印を付けられ得る、および、それは、「ホラー」もしくは「恐怖」などの特徴を有し得るが、それは、カラスが、ホラー分野のコンテンツ項目中にしばしば現れるからである。向上コンテンツ項目が基本コンテンツ項目の部分の特徴の１つ、一部、もしくは全部と一致するおよび／またはこの基本コンテンツ項目の部分中に特定されるオブジェクトと関連付けられた音もしくは画像を含む場合、それは、この基本コンテンツ項目部分と一緒に用いられる向上コンテンツ項目として選択され得る。
【００３７】
これらの特徴またはオブジェクトの一致が、正確なまたは文字通りの一致である必要はない。上述したように、コンテンツ向上サービスは、向上コンテンツの選択を誘導するために、電子データ記憶装置に記憶されている１つ以上のルールまたはグラフにアクセスし得る。一般的に言って、ルールまたはグラフは、基本コンテンツ項目の特徴または向上オブジェクトを、向上コンテンツ項目に存在する可能性の高い特徴に、または、この項目に対応する可能性の高い向上オブジェクトに変換するために用いられ得る。例えば、基本コンテンツ項目の一部分は台所に設定され得るが、台所は位置特徴であり得る。コンテンツ向上サービスと関連付けられた電子データ記憶装置に記憶されている（例えば、ユーザコンテンツライブラリ１１２、ネットワークコンテンツライブラリ１０４、またはコンテンツデータ記憶装置１１４上に記憶されている）ルールまたはグラフは、「台所」という特徴が、グラフ中で、ベーコンの焼ける音またはトースターが跳ね上がる音などの多くの向上コンテンツ項目に関連していることを示し得る。別の例では、基本コンテンツ項目の一部分は悲しい雰囲気を有し得る。悲しい雰囲気と関連付けられ得るルールは「この部分に付随させるには、スローテンポで、かつ単調の歌だけを選べ」でありえるが、それは、単調の遅い歌は、一般的に、悲しさと関連付けられるからである。
【００３８】
ブロック３１０で、向上コンテンツ項目は、オプションとして、基本コンテンツ項目の特定の部分について優先順位付けされてもよい。一部の実施形態では、コンテンツ向上サービスは、例えば、ユーザを圧倒しないように、または、ユーザが基本コンテンツ項目から気をそらさないように、基本コンテンツ項目の部分と一緒に伝達される向上コンテンツ項目の数にキャップまたはクォータを設定する。基本コンテンツ項目の一部分と一緒に伝達され得る向上コンテンツ項目の数は限られるため、基本コンテンツ項目の部分の比較的より重要な特徴またはこの部分中の向上オブジェクトを優先し、したがって、向上コンテンツ項目を選択することが望ましいということがあり得る。したがって、１つの実施形態では、基本コンテンツ項目の一部分の特徴のサブ集合（または、向上コンテンツ項目の特徴のサブ集合）のみを用いて、向上コンテンツ項目を選択する。基本コンテンツ項目の特徴を優先順位付けする方法は、図５に関して以下に説明する。別の実施形態では、向上オブジェクトのみを用い、１つ以上の向上コンテンツ項目を選択し、基本コンテンツ項目の部分の特徴は、どの向上コンテンツの選択を誘導するためにも用いられない。さらに別の実施形態では、基本コンテンツ項目の一部分中の複数の向上オブジェクトが、優先順位付けされ得る。例えば、コンテンツ向上サービスは、基本コンテンツ項目の一部分中の第１の向上オブジェクトのみを用いて向上コンテンツ項目を選択して、その部分中の後続の向上オブジェクトを無視し得る。基本コンテンツ項目の一部分中に存在する向上オブジェクトおよび特徴を優先順位付けするさらに他の方法が、可能である。
【００３９】
キャップまたはクォータは、基本コンテンツ項目のタイプおよび、選択され得るなんらかの向上コンテンツ項目のタイプに基づいて変化し得る。例えば、電子書籍のページに対するキャップまたはクォータは、１つまたは２つの音および歌であって、他の向上コンテンツ項目ではないということがあり得る。したがって、画像、ビデオクリップ、５つの音、および２つの歌を含む向上コンテンツ項目が電子書籍のページに存在する特徴または向上オブジェクトと一致する場合、コンテンツ向上サービスは、５つの歌のうちの２つおよび２つの歌のうちの１つのみを伝達されるように選択して、残りの向上コンテンツ項目を無視し得る。加えて、一部の実施形態では、あるタイプの向上コンテンツに対するキャップまたはクォータは、ゼロである。例えば、ビデオ向上コンテンツ項目に対するキャップまたはクォータは、テレビ番組の基本コンテンツ項目の場合にはゼロであるが、その理由は、テレビ番組が伝達されている間に、ビデオクリップを伝達することは望ましくないまたは実際的ではないからである。他の実施形態では、キャップまたはクォータは、向上コンテンツ項目の数にではなくて、むしろ、向上コンテンツ項目のサイズ（例えば、持続時間またはバイト数）に基づいている。
【００４０】
ブロック３１２では、コンテンツ向上サービスは、選択された向上コンテンツ項目を、向上される基本コンテンツ項目の部分と揃えさせ得る。例えば、コンテンツ向上サービスは、ユーザコンピューティングデバイス１０２またはコンテンツ向上サーバ１１０によってアクセスされた（またはストリーミングによってアクセスされるように指定された）各々の向上コンテンツ項目を、基本コンテンツ項目の１つ以上の部分にマッピングし得る。これらのマッピングは、向上設定コンテンツファイル中に収集されえるが、このファイルは、ネットワーク１０６上で、他のユーザコンピューティングデバイス１０２とまたはコンテンツ向上サーバ１１０と共有され得る。コンテンツ向上サービスはまた、マッピングされた向上コンテンツ項目をユーザコンピューティングデバイス１０２に伝達させることによって、マッピングされた向上コンテンツ項目をブロック３１４で伝達し得る。
【００４１】
連続的に伝達される基本コンテンツ項目（例えば、オーディオブック、ビデオ、テレビ番組など）の場合、向上コンテンツ項目は、基本コンテンツ項目の時刻印にマッピングされて、伝達するコンピューティングデバイス（ユーザコンピューティングデバイス１０２など）が、基本コンテンツ項目中のその時刻印に到達するときに、伝達され得る。
【００４２】
他の実施形態では、しかしながら、基本コンテンツ項目は、離散した部分（例えば、電子書籍）で伝達される。したがって、コンテンツ向上サービスは、連続的に伝達されるコンテンツ項目中に存在し得るような時刻印に依存することは不可能であり得る。コンテンツ向上サービスは、例えば、ユーザが、電子書籍中のどれほど多くの語を単位時間で読み取りことが可能であるかを判定することによって、ユーザが基本コンテンツ項目を消費する速度を推定し得る。ユーザの読み取り速度は、例えば、どれほど迅速にユーザが電子書籍のページをめくるかによって判定され得る。ユーザコンピューティングデバイス１０２がタッチ画面を含む実施形態では、ユーザの読み取り速度は、例えば、どれほど迅速にユーザの指またはスタイラスペンが、電子書籍の語を通過するかによって判定され得る。コンテンツ向上サービスは、ユーザが向上オブジェクトに到達する時刻を、語またはページにおいて、ユーザが向上オブジェクトに到達することからの距離を判定して、その距離を読み取り装置の計算された速度で除算することによって、推定することが可能であり得る。例えば、コンテンツ向上サービスは、読み取り装置が毎分約２００語（ｗｐｍ）で読み取ると判定し得る。ユーザコンピューティングデバイス１０２は、１００語を含む電子書籍のページをページの下の向上オブジェクトの５０語と共に伝達し得る。したがって、ユーザが向上オブジェクトを含むページをめくるとき、コンテンツ向上サービスは、ユーザコンピューティングデバイス１０２に、ユーザがページをめくってそのページに到達した後１５秒（２００語／５０ｗｐｍ＝１／４分すなわち１５秒）後に、向上オブジェクトと関連付けられた向上コンテンツ項目を伝達するように指示する。コンテンツ向上サービスはまた、遅延（例えば、５秒などの固定時間の遅延、または推定時間を１０％〜１００％だけ増加させるなどの遅延係数もしくはなんらかの他の係数）を含み、それによって、向上コンテンツが、ユーザコンピューティングデバイス１０２のユーザが基本コンテンツ項目の部分中のそれに到達する前には伝達されないようにし得る。この遅延は、利点として、向上コンテンツ項目を早期に伝達することによってユーザを驚愕されたりまたは困惑させたりしないように組み込まれ得る。
【００４３】
コンテンツ向上サービスはまた（もしくは代わりに）、向上コンテンツ項目を離散的な部分それ自体と揃えさせ得る。例えば、電子書籍のページ５〜１０は、明るく晴れた日に設定され、ページ１１〜２０は、雷雨時に設定されて、ページ１６が稲妻などの向上オブジェクトを含んでいるということがあり得る。したがって、明るく晴れた日に対応する向上コンテンツ（例えば、歌っている鳥の音または明るく晴れた日の画像）が、ページ５〜１０のうちのいずれか一ページがユーザコンピューティングデバイス１０２によって伝達されている間に、伝達され得る。ユーザコンピューティングデバイス１０２がページ１１〜２０のうちのいずれか一ページを伝達している間に、しかしながら、強風または豪雨の音などの雷雨に関連する向上コンテンツが、代わりに伝達され得る。加えて、ユーザコンピューティングデバイスがページ１６を伝達するときに、稲妻の画像または雷の音などの稲妻という向上オブジェクトに対応する向上コンテンツもまた、伝達され得る。
【００４４】
一部の例では、向上コンテンツ項目は、その全体が、この向上コンテンツ項目の割り当て先の基本向上コンテンツ項目の部分をユーザが終了する前に、伝達され得る。例えば、ユーザは、悲しい４分間の歌がマッピングされている電子書籍の悲しい部分を読み取っているところであり得る。ユーザがその電子書籍の悲しい部分を読み取るのに１０分間かかり得る。１つの実施形態では、向上コンテンツ項目は、向上コンテンツの伝達先の基本コンテンツ項目の部分が伝達されている間に、１回伝達されるのみである。別の実施形態では、向上コンテンツ項目は、向上コンテンツのマッピング先の基本コンテンツ項目の部分が伝達される間に、繰り返され得る。さらにさらなる実施形態では、コンテンツ向上サービスは、第１の向上コンテンツ項目が伝達された後で、第２の向上コンテンツ項目を選択、アクセス、および伝達し得る。この第２の向上コンテンツ項目は、ブロック３０８について上述したように、自動的に選択され得る。
【００４５】
上述したように、一部の実施形態では、１つ以上の向上コンテンツ項目が、基本コンテンツ項目の１つ以上の部分に対する向上コンテンツを提供する向上コンテンツパックに（ユーザまたはコンテンツ向上サービスによって）編成され得る。向上コンテンツパックは、マッピング先の基本コンテンツ項目の部分が伝達されるときに伝達される１つ以上の向上コンテンツ項目を含む単一のファイルまたはファイルのパッケージであり得る。向上コンテンツパックは、基本コンテンツ項目の全ての部分に対して、または、基本コンテンツ項目の全てより少ないものに対して、向上コンテンツを含み得る。その開示が参照としてその全体をここ組み込まれる、２０１１年３月２３日に出願された、「ＳＹＮＣＨＲＯＮＩＺＩＮＧ  ＤＩＧＩＴＡＬ  ＣＯＮＴＥＮＴ」という題名の米国特許出願第１３／０７０，３１３号に記載されるように、向上コンテンツパックは、基本コンテンツ項目と対を成し、かつ基本コンテンツ項目に同期され得る。
【００４６】
当業者は、一部の実施形態では、向上コンテンツは、ユーザがユーザコンピューティングデバイス１０２上のユーザインターフェースと相互作用するときに、このユーザコンピューティングデバイスによって伝達されるのみであることを認識するであろう。例えば、ユーザインターフェースは、テキスト、画像等の基本コンテンツ項目の一部分を表示し得る。ユーザが（向上オブジェクトである語または画像を、ユーザインターフェースによって表示される電子書籍の一部分中でタップすることによって）ユーザインターフェースと相互作用するとき、向上コンテンツは伝達され得る。
【００４７】
当業者はまた、上述した例示的なルーチン３００は、実質的に基本コンテンツ項目が伝達される間に、例えばリアルタイムで実行され得ることを理解するであろう。例えば、基本コンテンツ項目の第１の部分が伝達される間に、第１の部分の直後の第２の部分が、特徴および向上オブジェクトを求めて、コンテンツ向上サービスによって分析され得る。別の例では、基本項目の一部分は、それがユーザコンピューティングデバイス１０２によって伝達されている間に、特徴および向上オブジェクトを求めて、分析される。向上コンテンツは、実質的に基本コンテンツ項目の部分が伝達されている間でも選択され得る。したがって、向上コンテンツは、ユーザまたはコンテンツ向上サービスが前もって向上コンテンツを選択して、マッピングする必要なく、動的に選択され得る。
【００４８】
図４は、コンテンツ向上サービスが向上コンテンツ項目をユーザコンピューティングデバイス１０２に提供し得る例示的なルーチン４００を示す。ブロック４０２では、コンテンツ向上サービスは、向上コンテンツに対するユーザ要求を受信し得る。例えば、ユーザインターフェースを介して彼または彼女のコンピューティングデバイス１０２と相互作用することによって、ユーザは、彼または彼女が基本コンテンツ項目と一緒に用いる向上コンテンツを獲得することを希望していることを示す。例えば、コンテンツ向上サービスはがユーザコンピューティングデバイス１０２上に部分的にまたは全体的に具現化されている実施形態では、コンテンツ向上サービスは、ユーザが、彼または彼女が１つ以上の向上コンテンツ項目を獲得することを希望していることを示す際に用いられる１つ以上のユーザインターフェースを生成し得る。他の実施形態では、コンテンツ向上サービスは、ユーザコンピューティングデバイス１０２によって動かされるネットワークブラウザを介してアクセスされるコンテンツページの一部として向上コンテンツを要求するために、１つ以上のユーザインターフェースを提示する。
【００４９】
向上コンテンツに対する要求を受信すると、コンテンツ向上サービスは、適切なローカル向上コンテンツ（例えば、基本コンテンツ項目の一部分中に存在する特徴または向上オブジェクトに対応する向上コンテンツ）が書籍４０４中にローカルで利用可能であるかどうかを判定し得る。例えば、ユーザコンピューティングデバイス１０２に対するローカル向上コンテンツは、ユーザコンテンツライブラリ１１２に記憶され得る。
【００５０】
コンテンツ向上サービスが、適切な向上コンテンツがローカルで利用可能であるとブロック４０６で判定すると、向上コンテンツ項目が、ユーザコンピューティングデバイス１０２にとってローカルであるユーザコンテンツライブラリ１１２から選択され得る。しかしながら、ローカルで利用可能な適切な向上コンテンツがない、または、ローカルで利用可能な適切な向上コンテンツが不十分である場合、向上コンテンツに対するユーザの要求は、ブロック４０８で、ネットワーク上で、コンテンツ向上サーバ１１０に対して送信され得る。
【００５１】
ブロック４１０では、コンテンツ向上サービスは、適切な向上コンテンツがコンテンツ向上サーバ１１０を介して利用可能であるかどうか、例えば、適切な向上コンテンツがコンテンツデータ記憶装置１１４に記憶されているかどうかを判定し得る。コンテンツデータ記憶装置１１４に利用可能な適切な向上コンテンツがない場合、コンテンツ向上サービスは、ブロック４１２に進んで、ネットワークコンテンツライブラリ１０４から向上コンテンツを獲得することを試み得る。
【００５２】
図１について上述したように、ネットワークコンテンツライブラリ１０４は、１つ以上の向上コンテンツ項目を電子データ記憶装置にホストまたは記憶し得る。一部の実施形態では、これらの向上コンテンツ項目は、１つ以上の特徴を示すラベルをネットワークコンテンツライブラリ１０４によって付けられ、それによって、それらの特徴は、ユーザが向上コンテンツを要求した相手の基本コンテンツ項目の部分のそれらと比較するまたは一致させられ得るようにする。他の実施形態では、コンテンツ向上サービスは、ネットワークコンテンツライブラリ１０４上に記憶されている向上コンテンツ項目の特徴を、これらの項目のいずれかが、ユーザが向上コンテンツを要求した相手の基本コンテンツ項目の部分、ユーザが向上コンテンツを要求した相手の基本コンテンツ項目の一部分中に現れる音オブジェクト、または双方と一致する特徴を有するかどうかについて、判定する。上述したように、向上コンテンツ項目の特徴は、基本コンテンツの部分のある特徴と関連付けられるが、例えば、単調の遅い歌は悲しい特徴と関連付けられ得るし、一方、長調の幸福な歌は、幸福な特徴と関連付けられ得る。適切な向上コンテンツ項目がネットワークコンテンツライブラリ１０４中に存在すれば、コンテンツ向上サーバ１１０は、適切な向上コンテンツ項目にアクセスするまたはこれを獲得して、その向上コンテンツ項目を、例えば、それをネットワーク上で送信することによって、ユーザコンピューティングデバイスに対して、ブロック４１６で提供する。オプションとして、コンテンツ向上サーバ１１０は、ネットワークコンテンツライブラリ１０４から獲得された向上コンテンツ項目を、コンテンツデータ記憶装置１１４に記憶し得る。
【００５３】
一部のインスタンスでは、しかしながら、コンテンツ向上サーバ１１０と関連付けられたコンテンツデータ記憶装置１１４は、適切な向上コンテンツ項目を記憶し得る。そうであれば、コンテンツカスタム向上サービスは、ブロック４１０からブロック４１４に進んで、適切な向上コンテンツ項目を選択し得る。選択された適切な向上コンテンツ項目は、次に、ブロック４１６に示すように、コンテンツデータ記憶装置１１４からユーザコンピューティングデバイス１０２に提供され得る。
【００５４】
当業者は、２つ以上のソースからの向上コンテンツ項目は、基本コンテンツ項目の同じ部分に提供され得るまたは割り当てられ得ることを理解するであろう。１つの例では、基本コンテンツ項目がユーザコンピューティングデバイス１０２上で伝達される間に再生される歌は、ネットワークコンテンツライブラリ１０４からストリーミングされ、一方、基本コンテンツ項目のその部分中に存在する音オブジェクトに対応する１つ以上の音は、ユーザコンテンツライブラリ１１２から再生される。別の例では、ユーザコンピューティングデバイス１０２は、基本コンテンツ項目を伝達している間に、ユーザコンテンツライブラリ１１２に記憶されている１つ以上の歌を再生して、基本コンテンツ項目中の音オブジェクトに対応する音を、ネットワークコンテンツライブラリ１０４からまたは、コンテンツ向上サーバ１１０と関連付けられたコンテンツデータ記憶装置１１４から獲得して再生し得る。
【００５５】
当業者はまた、向上コンテンツがネットワークコンテンツライブラリ１０４から、コンテンツデータ記憶装置１１４から、または、ユーザコンピューティングデバイス１０２から遠隔にあるいずれかの他のソースから獲得される実施形態では、向上コンテンツは、それがユーザコンピューティングデバイス１０２によって伝達されるまでは、ユーザコンピューティングデバイス１０２に送信され得ないことを理解するであろう。この方式は、限られたデータ記憶能力を持つユーザコンピューティングデバイス１０２によっては特に利点となり得る。例えば、電子書籍は、オペラ音オブジェクトに対する参照を含み得る。ユーザコンピューティングデバイス１０２が、オペラ音オブジェクトが現れる電子書籍の部分（例えば、ページ、見出し、または、「オペラ」という語が現れるもしくは暗示される他の部分）を伝達するとき、コンテンツ向上サービスは、ユーザコンピューティングデバイス１０２に、向上コンテンツのオペラ音項目を、例えば、ネットワークコンテンツライブラリ１０４からまたはコンテンツ向上サーバ１１０からダウンロードまたはストリーミングさせ得る。他の実施形態では、遠隔のソースからの向上コンテンツは、ユーザコンピューティングデバイス１０２が、例えば、向上コンテンツ項目を遠隔の電子データ記憶装置から事前ダウンロードして、それらをユーザコンテンツライブラリ１１２に記憶することによって基本コンテンツ項目を伝達する前に、このユーザコンピューティングデバイスによって獲得され得る。
【００５６】
当業者は、ルーチン４００に類似したルーチンの後には、向上コンテンツ項目を獲得するために、コンテンツ向上サーバ１１０が続き得ることを理解するであろう。例えば、コンテンツ向上サーバ１１０は、コンテンツ向上サーバにとってローカルでアクセス可能なコンテンツデータライブラリ１１４に記憶されている基本コンテンツ項目を有し得る。コンテンツ向上サーバ１１０は、基本コンテンツ項目に対する適切な向上コンテンツがコンテンツデータ記憶装置１１４中に存在するかどうかを判定し得る。適切な向上コンテンツがコンテンツデータ記憶装置１１４中に存在しない場合、コンテンツ向上サーバは、遠隔のネットワークコンテンツライブラリ１０４または、さらには、遠隔のユーザコンピューティングデバイス１０２に対して、どちらかが電子データ記憶装置に記憶されている適切な向上コンテンツ項目を有するかどうかについて照会し得る。そうであれば、コンテンツ向上サーバ１１０は、向上コンテンツ項目を要求し、この向上コンテンツ項目にアクセスする許可が得られた場合、その項目を（例えば、それをネットワーク１０６上でダウンロードすることによって）獲得して、それをコンテンツデータ記憶装置１１４に記憶し得る。
【００５７】
図５は、基本コンテンツ項目の複数の部分に関連する複数層の情報を示す略図である。一般的に言って、基本コンテンツ項目の層は、共通の位置、設定、雰囲気、時間などのある共通の側面を共通して有する基本コンテンツ項目１つ以上の部分を含むまたは「カバー」し得る。これらの部分は、連続性または不連続性であり得る。基本コンテンツ項目の各々の層は、その層によってカバーされる基本コンテンツ項目の一部分に対して特徴を与え得る。各々の層中に存在する特徴は、人間相互作用タスクシステム、コンピュータ化されたコンテンツ分析技法、またはネットワークベースのエンサイクロペディアもしくは知識ベースなどのネットワークリソースから得られたコンテンツ項目に関する情報を用いるなどの様々な方法で、コンテンツ向上サービスによって特定され得る。これらの技法および他のそれらは、図３のブロック３０６について上述した特徴を特定する方法に類似し得る。
【００５８】
題名層５０２は、基本コンテンツ項目全体に対して、例えば、基本コンテンツ項目の全ての部分に対してグローバルである特徴に関する情報を含み得る。題名層５０２によって基本コンテンツ項目の部分に付与され得る特徴は、例えば、基本コンテンツ項目の分野（例えば、ホラー、喜劇、悲劇など）または基本コンテンツ項目全体に対してグローバルな雰囲気と関連付けられた特徴を含み得る。例えば、シェークスピア劇のハムレットは、悲劇分野の劇であり、喜劇的な息抜き場面でさえも反映される暗い雰囲気を有する。ハムレットの全ての部分は、したがって、「悲劇」または「暗い」などの特徴を割り当てられ得る。
【００５９】
単位層５０４はまた、コンテンツ項目の一部分に対して１つ以上の特徴を付与し得る。一般的に言って、単位（劇的単位またはアリストテレス的単位としても知られている）は、基本コンテンツ項目の複数の部分に共通な位置、歴史的時代、事象、または特徴であり得る。単位層５０４は、したがって、単位を共有する基本コンテンツ項目の複数の部分に対して特徴を付与し得る。例えば、図５の単位層５０４は、例としてのタイプの単位、すなわち、地理的設定を示す。見出し１は、都市で発生し、したがって、都市という設定に関連する単位層５０４の部分によってカバーされる。一方、見出し２および見出し３は、双方とも、海辺で発生し、したがって、海辺という設定に関連する単位層５０４の部分によってカバーされる。単位層５０４のどの部分も、複数の単位、例えば、同じ歴史的時代で、同じまたは異なる位置で発生し得る基本コンテンツ項目の２つ以上の部分を含み得る。例えば、シェークスピアのヘンリー五世のある部分は１００年戦争のときにイングランドで発生し、他の部分は１００年戦争のときのフランスで発生している。
【００６０】
部分層５０６は、基本コンテンツ項目の１つ以上の部分に特有の特徴を含み得る。図５に示す部分は、電子書籍またはオーディオブックの場合のように見出しであり、他の部分は、所望通りに用いられ得る。例えば、部分は、エピソード、オーディオブックまたは電子書籍という形態における劇の出し物または場面、電子書籍のページ、話されたまたはテキストのパラグラフ、連続的に伝達されるコンテンツに対しる時間増分（例えば、オーディオコンテンツまたはビデオコンテンツ）などであり得る。基本コンテンツ項目を部分に分割する他の方法は、可能であり、本開示の範囲内である。部分層５０６によって付与され得る特徴は、部分の時刻、部分の雰囲気、部分のなんらかの構想特徴（例えば、その構想がまさに解決寸前か、解決の途中であるか、または既に解決しているか）、どの特徴が部分に存在し得るか、などを含む。
【００６１】
各々の層によって基本コンテンツ項目の一部分に付与された特徴は、５０８Ａ〜Ｃに示すように、基本コンテンツ項目の部分に対する特徴の全集合を判定するために、組み合され得る。例えば、部分５０８Ａは、題名層５０２からのホラー（分野）という特徴、単位層５０４からの都市（位置）という特徴、および部分層５０６からの朝（時刻）という特徴を有する。部分５０８Ｂは、題名層５０２からのホラー（分野）という特徴、単位層５０４からの海辺（位置）という特徴、および部分層５０６からの夜（時刻）および憂鬱（雰囲気）という特徴を有する。部分５０８Ｃは、題名層５０２からのホラー（分野）という特徴、単位層５０４からの海辺（位置）という特徴、ならびに部分層５０６からのサスペンス（雰囲気）および恐怖（雰囲気）という特徴を有する。
【００６２】
ある部分は、図５にオブジェクトブロック５１０Ａ〜Ｃとして示す向上オブジェクトを含み得る。ある部分に対する特徴の集合は、基本コンテンツ項目の部分中に存在するいずれかの向上オブジェクトと共に用いられて、向上ブロック５１２Ａ〜５１２Ｃ中の部分に付随する向上コンテンツ項目を選択し得る。向上コンテンツ項目は、図３について上述したように、基本コンテンツ項目の一部分に対して、その部分の特徴、その部分中に存在する向上オブジェクト、または双方に基づいて選ばれ得る。
【００６３】
向上オブジェクトが存在しない場合、コンテンツ向上サービスは、基本コンテンツ項目の部分の既知の特徴の１つ、いくつか、または全てを用いて、既知の特徴に基づいて向上コンテンツを選択し得る。例えば、オブジェクトブロック５１０Ａに示すように、部分５０８Ａ中には向上オブジェクトは存在しない。しかしながら、部分５０８Ａは、それと結びついているいくつかの特徴、すなわち、ホラー、都市、および朝を有する。これらの特徴に基づいて、コンテンツ向上サービスは、コンテンツ向上サービスと関連付けられたデータ記憶装置に記憶されている１つ以上のコンテンツルールまたはグラフを用いて、これらの特徴を反映させるために、選択ブロック５１２Ａ中のカラス音を選択するが、それは、カラスが、ホラーテーマでは共通であり、鳥のさえずる音は朝では共通であるからである。
【００６４】
向上オブジェクトが基本コンテンツ項目中に存在すれば、向上オブジェクトは、向上コンテンツ項目の選択を誘導するために用いられ得る。一部の実施形態では、向上オブジェクトのみを用いて、向上コンテンツ項目の選択を誘導し、特徴は考慮されない。例えば、部分５０８Ｂは、オブジェクトブロック５１０Ｂに、波に対応する音オブジェクトを含む。部分５０８Ｂはまた、結び付けられた特徴、すなわち、ホラー、海辺、夜、および憂鬱を含む。波の音は、波が発生するときの分野、雰囲気、位置、または時刻に基づいて変更される必要はない。したがって、波の音に対応する向上コンテンツ項目が、部分５０８Ｂの特徴を必ずしも考慮することなく、選択ブロック５１２Ｂから選択され得る。
【００６５】
一部のインスタンスでは、基本コンテンツ項目の部分の特徴と向上オブジェクトとの双方を用いて、向上コンテンツ項目の選択を誘導する。例えば、部分５０８Ｃは、ホラー、海辺、サスペンス、および恐怖に対応する特徴を有する。部分５０８Ｃもまた、ブロック５１０Ｃ中の幽霊に対応する画像オブジェクトを含む。複数の向上コンテンツ項目を含む電子データ記憶装置は、例えば、幽霊の複数の画像を含み得る。幽霊の一部の画像は、他の画像よりもホラーがテーマのコンテンツの恐ろしい部分により適し得る（例えば、親しみのある幽霊またはハロウィンの幽霊の服装をした子供の画像とは対照的な恐ろしい幽霊の画像）。したがって、部分５０８Ｃの特徴（ホラー、恐怖）と画像オブジェクト５１０Ｃ（幽霊）の双方を用いて、選択ブロック５１２Ｃで、恐ろしい幽霊の画像を選択し得る。
【００６６】
任意の数の特徴を含む任意の数の層を用い得るし、層は、基本コンテンツ項目の全体部分と厳密に揃える必要はない。例えば、単位層は、見出し２の一部および見出し３の一部をカバーし得るが、どちらの部分も完全にはカバーし得ない。これら以外の他の部分も用いられ得る。例えば、題名層５０２よりも高い層は、シリーズレベルの層（例えば、基本コンテンツ項目のシリーズの一部である基本コンテンツ項目用）または作者レベルの層（例えば、特定の作者によって書かれたすべての基本コンテンツ項目をカバーする）を含み得る。したがって、１つの層中の特徴のタイプは、別の層に存在する特徴のタイプと相互に排他的である必要はない。例えば、上述したように、単位層５０４は、基本コンテンツ項目の１つ以上の部分の位置に関する情報を含み得る。しかしながら、基本コンテンツ項目の１つ以上の部分の位置に関する情報もまた、部分層５０６または題名層５０２中に存在し得る。
【００６７】
一部の実施形態では、層は互いに対して優先され得るため、向上コンテンツ項目を選択するために１つ以上の層の特徴が用いられ、一方１つ以上の他の層の特徴は用いらない。１つの実施形態では、より高い層（例えば、題名層）が、全てのより低い層（例えば、単位層または部分層）に対して優先する。例えば、上記のハムレットの例に戻って、ハムレットの題名層は、「悲劇」または「暗い」などの特徴を、ハムレットという基本コンテンツ項目の全ての部分に付与し得る。これらの優先される特徴を用いて、より低い層に存在する特徴を除外して、向上コンテンツ項目を選択し得る。例えば、「悲劇」および「暗い」という特徴は、ハムレット中の「ああ、哀れなヨリックよ」という喜劇的息抜き部分に存在する「ユーモラス」な特徴に取って代わり得るため、悲劇的で、暗い向上コンテンツ項目のみが選択されて、喜劇的息抜き場面を含む基本コンテンツ項目の部分と一緒に伝達される。別の実施形態では、より低い層（例えば、部分層）は、より高い層（例えば、題名層）に優先し得る。ハムレットの例に戻ると、喜劇的息抜き部分層の優先された「ユーモラスな」特徴は、題名層中に存在する「悲劇」および「暗い」という特徴に取って代わり得る。したがって、ユーモラスな向上コンテンツ項目のみが、選択されて、喜劇的息抜き場面を含む基本コンテンツ項目の部分と一緒に伝達され得るが、「悲劇」および「暗い」という特徴は考慮されない。層からの特徴を優先順位付けするさらに別の方法が可能である。
【００６８】
図６は、ユーザが、基本コンテンツ項目の１つ以上の部分に対する向上コンテンツ項目を選択する際に用いられる例示的なユーザインターフェース６００を示す。ユーザインターフェースは、１つ以上の部分スロット６０２を含み得る。図示するユーザインターフェース６００は、各々が基本コンテンツ項目の見出しに対応する部分スロット６０２を含むが、他の部分スロットは所望次第で用いられ得る。図５について上述したように、基本コンテンツ項目は、時間増分、ページ、パラグラフ、台詞、エピソード、場面、出し物などに分解され得る。これらの部分は、サイズが同じまたは異なり得る。各々の部分スロット６０２は、基本コンテンツ項目の部分の特徴を示し得る。この例では、見出し１は、朝および静かという特徴を持つコンテンツ項目の一部分に対応するが、一方、見出し２は、夜に発生し憂鬱である基本コンテンツ項目の一部分に対応する。部分スロット６０２はまた、見出し３に対する見出しスロットについてみられるように、その部分を割り当てられた特徴を入力または編集する機会をユーザに提供し得る。一部の実施形態では、部分スロット６０２はまた、その部分中に存在するあらゆる向上オブジェクトの部分的または完全なリストを含む。
【００６９】
各々の部分スロット６０２は、向上コンテンツスロット６０４と関連付けられ得る。上述したように、各々の向上コンテンツスロット６０４中の向上コンテンツは、向上コンテンツスロット６０４が結び付けられている相手の基本コンテンツ項目の一部分をユーザコンピューティングデバイス１０２が伝達する間に、ユーザに対して伝達され得る。例えば、コンテンツ向上サービスは、ユーザコンピューティングデバイス１０２に、ユーザコンピューティングデバイス１０２がまた、基本コンテンツ項目の見出し１を伝達する間に、Ｐｅｅｒ  Ｇｙｎｔ  Ｓｕｉｔｅから「朝」を伝達させ得る。同様に、ユーザコンピューティングデバイス１０２が見出し２を伝達する間に、コンテンツ向上サービスは、「Ｍｏｏｎｌｉｇｈｔ  Ｓｏｎａｔａ」をユーザに伝達させ得る。コンテンツ向上スロット６０４が空であれば、それは、ユーザインターフェース６００中でそのようであると示され得る。コンテンツ向上スロット６０４はまた、基本コンテンツ項目の各々の部分に割り当てられた各々の向上コンテンツ項目の起源を示し得る。例えば、Ｐｅｅｒ  Ｇｙｎｔ  Ｓｕｉｔｅからの「朝」は、ローカルな向上コンテンツ項目、すなわち、ユーザコンテンツライブラリ１１２などのユーザコンピューティングデバイス１０２にとってローカルにアクセス可能なデータ記憶装置上に記憶され得る向上コンテンツ項目であると示され得る。代替的には、向上コンテンツが、コンテンツ向上サーバ１１０からまたはネットワークコンテンツライブラリ１０４からなど、遠隔のソースからユーザコンピューティングデバイス１０２に送信される場合、向上コンテンツスロット６０４は、向上コンテンツ項目が遠隔のソースから発することを示し得る。このようにして、コンテンツ向上サービスのユーザは、ネットワーク１０６上で接続がユーザコンピューティングデバイス１０２にとって利用可能でない場合、彼らは、遠隔の向上コンテンツ項目にアクセスし得ない（例えば、ユーザは、彼または彼女のユーザコンピューティングデバイス１０２に対して向上コンテンツ項目をストリーミングすることが不可能である）ことを通知され得る。
【００７０】
ユーザインターフェース６００はまた、向上コンテンツメニュー６０６を含み得る。向上コンテンツメニュー６０６は、１つ以上の向上コンテンツ項目と、各々の向上コンテンツ項目または向上コンテンツ項目が対応し得るいずれかの向上オブジェクトに関する特徴とをリストアップし得る。例えば、歌である向上コンテンツ項目にとっては、歌の名称、歌の作曲家もしくは演奏家、歌の持続時間、歌の分野、歌のなんらか特徴は、向上コンテンツメニューに表示され得る。これらの特徴は、以前に向上コンテンツ項目に割り当てられている、または、図３のブロック３０６について上述したように、コンテンツ向上サービスによって特定され得る。これらの特徴は、ユーザが、向上コンテンツ項目を基本コンテンツ項目の部分に割り当てるのを支援し得る。ユーザは、向上コンテンツメニュー６０６と相互作用して、例えば、向上コンテンツ項目をメニュー６０６から向上コンテンツスロット６０４に入力するためにメニューをクリックするまたはタップしてドラッグすることによって、向上コンテンツ項目を１つ以上の部分スロット６０４に割り当て得る。
【００７１】
一部の実施形態では、向上コンテンツメニュー６０６は、コンテンツ向上サービスによってユーザコンピューティングデバイスに対して利用可能とされ得る全ての向上コンテンツ項目を含む。例えば、向上コンテンツメニュー６０６は、図１に示すように、ユーザコンテンツライブラリ１１２に記憶されている全ての向上コンテンツ項目と、コンテンツ向上サーバ１１０と関連付けられたコンテンツデータ記憶装置１１４中に記憶されている全ての向上コンテンツ項目と、ネットワークコンテンツライブラリ１０４上に記憶され得るあらゆる利用可能な向上コンテンツ項目と、のリストを含み得る。他の実施形態では、向上コンテンツメニュー６０６に示す向上コンテンツ項目のみが、ユーザコンテンツライブラリ１１２に記憶されるものである。
【００７２】
向上コンテンツ項目を基本コンテンツ項目の各々の部分に手動で割り当てることに加えて、ユーザは推奨されるボタン６０８と相互作用して、１つ以上の向上コンテンツ項目を基本コンテンツ項目の各々の部分に自動的に割り当て得る。例えば、コンテンツ向上サービスは、基本コンテンツ項目の一部分の特徴を１つ以上の向上コンテンツ項目の特徴と比較し得る。向上コンテンツ項目は、基本コンテンツ項目の部分および向上コンテンツ項目の特徴が正確または近接に一致すれば、基本コンテンツ項目に割り当てられ得る。基本コンテンツ項目の部分中の向上オブジェクトと一致する向上コンテンツ項目もまた、その部分に自動的に割り当てられ得る。
【００７３】
一部の実施形態では、推奨されるボタン６０８とのユーザの相互作用は、コンテンツ向上サービスに、例えば、コンテンツ向上サーバ１１０上のコンテンツ向上サービスによって記憶された推奨に基づいて、向上コンテンツを基本コンテンツ項目の１つ以上の部分に割り当てるように促す。ユーザは、オプションとして、向上コンテンツのこれらの割り当てを修正し得る。例えば、基本コンテンツ項目の作者または発行者は、基本コンテンツ項目と共に伝達されるべき向上コンテンツ項目の特性の集合に心当たりがあり得る。代替的には、コンテンツ向上サービスは、向上コンテンツ項目がどれほど頻繁にコンテンツ項目の特定の部分に対してコンテンツ向上サービスのユーザによって割り当てられるかに基づいて推奨を判定し得る。向上コンテンツ項目が基本コンテンツ項目のある部分に特に頻繁に割り当てられると、コンテンツ向上サービスは、基本コンテンツ項目のその部分と一緒に向上コンテンツ項目を用いることを推奨し得る。コンテンツ向上サーバ１１０はまた、ユーザコンピューティングデバイス１０２のユーザと結びついたソーシャルグラフを保つまたはこれにアクセスして、どの向上コンテンツ項目がユーザのソーシャルグラフ中の人物によって選択されているかを判定してそれを推奨し得る。
【００７４】
他の実施形態では、推奨されたボタン６０８との相互作用は、ユーザコンピューティングデバイス１０２に、基本コンテンツ項目の各々の部分に対する１つ以上の向上コンテンツ項目を指定する向上コンテンツ設定ファイルのまたは向上コンテンツパックの要求をコンテンツ向上サービスに送信させる。コンテンツ向上サーバ１１０は、例えば、人気格付け、スター格付け、または、特定の向上コンテンツ設定ファイルもしくは向上コンテンツパックのダウンロードカウントを保ち得る。コンテンツ向上サーバ１１０はまた、ユーザコンピューティングデバイス１０２のユーザと結びつけられたソーシャルグラフを保つまたはこれにアクセスして、どの向上コンテンツ設定ファイルまたは向上コンテンツパックがユーザのソーシャルグラフ中の人物によってアクセスされたかを判定してそれを推奨し得る。
【００７５】
コンテンツ向上サービスによってなされたこれらの推奨は、ユーザのフィードバックによって修正され得る。例えば、コンテンツ向上サービスは、ユーザが特定の向上コンテンツ項目を楽しまなかったとの指摘をユーザから受信し得る。したがって、その向上コンテンツ項目は、次に伝達された基本コンテンツ項目または基本コンテンツ項目の部分と一緒に用いるように、ユーザに対して推奨され得ない。ユーザはまた、どのタイプの向上コンテンツ項目を彼または彼女が伝達されることを好むかを指定し得る。例えば、ユーザは、音よりも歌を好み得る。したがって、コンテンツ向上サービスは、基本コンテンツ項目の部分に対して、音の代わりに歌を推奨し得る。向上コンテンツ項目の推奨に対するユーザフィードバックを獲得して、適用する他の方法が可能である。
【００７６】
一部のインスタンスでは、向上コンテンツメニュー６０６は、基本コンテンツ項目の部分が伝達される間に、ユーザによって伝達されることが所望される向上コンテンツ項目を含み得ない。したがって、ユーザがインポートボタン６１０と相互作用するとき、ユーザコンピューティングデバイス１０２は、向上コンテンツ項目を獲得して、オプションとしては、それをユーザコンテンツライブラリ１１２に記憶し得る。例えば、ユーザコンピューティングデバイスは、ネットワークコンテンツライブラリ１０４から、または、コンテンツ向上サーバ１１０と関連付けられたコンテンツデータ記憶装置１１４から向上コンテンツ項目を獲得し得る。
【００７７】
当業者は、一部の実施形態では、インポートされた向上コンテンツ項目は、ユーザコンピューティングデバイス１０２では記憶されないことを理解するであろう。むしろ、インポートボタン６１０を用いて、遠隔地、例えば、ネットワークコンテンツライブラリ１０４または、コンテンツ向上サーバ１１０と関連付けられたコンテンツデータ記憶装置１１４中に記憶されている向上コンテンツ項目に対するリンクを獲得し得る。ユーザコンピューティングデバイス１０２は、実質的にユーザコンピューティングデバイス１０２上の基本コンテンツ項目の部分を伝達している間に、インポートされた向上コンテンツ項目をストリーミングし得る。遠隔のソースからストリーミングされる向上コンテンツ項目は、上述したように、向上コンテンツスロット６０４中で、遠隔にあると印を付けられ得る。
【００７８】
向上コンテンツ項目を基本コンテンツ項目の１つ以上の部分に割り当てた後では、ユーザは、それらの設定を、エクスポート設定ボタン６１２と相互作用することによってエクスポートし得る。例えば、ユーザによって生成された設定は、向上コンテンツ設定ファイル中に収集され、コンテンツ向上サーバ１１０に送信され、オプションとして、コンテンツデータ記憶装置１１４に記憶され得る。ユーザが基本コンテンツ項目の各々の部分に割り当てた向上コンテンツ項目は、収集されて、向上コンテンツパックとして記憶されるが、これは、別のユーザコンピューティングデバイス１０２に、または、コンテンツ向上サーバ１１０に、オプションとしてコンテンツデータ記憶装置１１４に記憶されるために、送信され得る。コンテンツ向上サーバ１１０上に記憶された設定ファイルおよびコンテンツパックは、次に、要求のあり次第、コンテンツ向上サーバ１１０によって、別のユーザコンピューティングデバイス１０２に送信され得る。例えば、ユーザは、インポートボタン６１４と相互作用することによって、向上コンテンツパックまたは向上コンテンツ設定ファイルに対する要求を生成し得る。代わりに、ユーザは、ユーザによって、彼または彼女のユーザコンピューティングデバイス１０２上に記憶されているまたは以前に生成された向上コンテンツ設定ファイルまたは向上コンテンツパックをインポートし得る。
【００７９】
一旦ユーザが、向上コンテンツ項目を彼または彼女のコンテンツに対する基本コンテンツ項目の部分に割り当てると、ユーザは、セーブ・再生ボタン６１６と相互作用し得る。ユーザによる向上コンテンツ項目の割り当ては、ユーザコンピューティングデバイス１０２上のメモリ中に記憶され、基本コンテンツ項目は、すると、ユーザに対して、彼または彼女が伝達されるように選択したいずれかの向上コンテンツ項目と共に伝達され得る。
【００８０】
ユーザが、基本コンテンツ項目の１つ以上の部分に対する向上コンテンツの割り当てに不満足であれば、ユーザはクリアオールボタン６１８と相互作用し得る。ユーザがクリアボタン６１８と相互作用すると、１つ以上のコンテンツ向上スロット６０４が、空にされ得る。ユーザは、次に、所望次第で、向上コンテンツ項目を、基本コンテンツ項目の各々の部分に割り当て得る。
【００８１】
一部の実施形態では、複数の異なるタイプの向上コンテンツが基本コンテンツ項目の同じ部分と関連付けられると理解すべきである。例えば、基本コンテンツ項目の一部分は、歌、音クリップ、ビデオクリップ、および／またはビジュアルコンテンツと関連付けられ得る。向上コンテンツ項目の一部分は、ゼロ、１つ、または２つ以上の向上コンテンツと関連付けられ得る。加えて、ユーザによって選択された向上コンテンツ項目は、向上コンテンツ項目が割り当てられた基本コンテンツ項目の部分の特徴と一致する必要はない。
【００８２】
当業者はまた、ユーザインターフェース６００が表示されて、基本コンテンツ項目および向上コンテンツ項目に関する１つ以上の照会と一緒に人間相互作用タスクシステム１０８の人間作業者に対して表示され得ることを理解するであろう。例えば、人間相互作用タスクシステム１０８は、「この電子書籍の各々の見出しに対する歌を選択してください」または「基本コンテンツ項目のこの部分中に存在し得るいずれかの向上オブジェクトを、この部分の次の特徴に基づいて特定してください」などの照会を人間作業者に提示し得る。例えば、農場（位置特徴）に設定された基本コンテンツ項目の一部分に対して、人間作業者は、牛、鶏、または豚などの音オブジェクトが存在し得ることを示し得る。向上コンテンツ項目、例えば、牛が鳴いているまたは鶏が鳴いているオーディオクリップは、したがって、コンテンツ向上サービスによって選択または推奨され得る。人間相互作用タスクシステム１０８の人間作業者はまた、ユーザインターフェース６００を用いて、向上コンテンツ設定ファイルまたは向上コンテンツパックを生成するように要求され得る。
【００８３】
図７は、基本コンテンツ項目および／または向上コンテンツ項目がユーザコンピューティングデバイス１０２上で伝達され得る際に介する例示的なユーザインターフェース７００を示す。このユーザインターフェースでは、画像向上コンテンツ７０２は、基本コンテンツ項目の一部分７０４が伝達される間に表示される。ここで、画像向上コンテンツ７０２、すなわち恐ろしい幽霊は、基本コンテンツ項目７０４の部分中に存在する「幽霊」向上オブジェクト７０８と一致する。加えて、ユーザは、「きしんだ」向上オブジェクト７０６および／または「幽霊」向上オブジェクト７０８と（例えば、語が表示されるユーザコンピューティングデバイス１０２のタッチ画面の一部分をタップすることによって）相互作用して、「きしんだ」向上オブジェクト７０６に対するきしむ床または「幽霊」向上オブジェクト７０８に対する幽霊の喚き声などの音向上コンテンツ項目が聞こえ得る。基本コンテンツ項目の部分中の向上オブジェクトは、例えば、向上オブジェクトにアンダーラインする、強調する、イタリック化する、または保持して印を付けて、ユーザに、この印を付けられた向上オブジェクトと相互作用するように促し得る。
【００８４】
向上設定ボタン７１０と相互作用することによって、ユーザは、ユーザインターフェース６００などのユーザインターフェースに連れて行かれ得る。ユーザは、例えば、基本コンテンツ項目に対する向上コンテンツの割り当てを追加、変更、または除去する機会を有し得る。ユーザはまた、ビジュアル設定（例えば、コントラスト、輝度、ガンマ、飽和など）またはオーディオ設定（例えば、音量、低音、高音など）などの他の設定を修正する機会を与えられ得る。これらの設定を調整するインターフェースおよび手段は、技術上周知であり、本明細書でさらに詳述する必要はない。
【００８５】
ユーザはまた、ユーザコンピューティングデバイス１０２が向上コンテンツ項目を伝達するかどうかを、トグルボタン７１２と相互作用することによって切り替えるオプションを有し得る。向上コンテンツが禁止されれば、それは、ユーザコンピューティングデバイス１０２によって伝達されない。向上コンテンツが許可されれば、それは、ユーザコンピューティングデバイス１０２によって伝達され得る。トグルボタン７１２は、向上コンテンツが許可されている間は「向上を禁止」と読み得るし、向上コンテンツが禁止されている間は「向上を許可」と読み得る。ユーザはまた、あるタイプの向上コンテンツのみを切り替える、例えば、オーディオコンテンツを禁止するが、ビジュアル向上コンテンツを許可されたままにしておく、というオプションを有し得る。
【００８６】
とりわけ、「可能である（ｃａｎ）」、「あり得る（ｃｏｕｌｄ）」、「あり得た（ｍｉｇｈｔ）」、または「あり得る（ｍａｙ）」などの条件語は、特に指定のない限り、一般に用いられるような文脈内で理解されて、ある実施形態はある特徴、要素、および／またはステップを含むが、他の実施形態は含まないことを伝達する。したがって、このような条件語は、一般的には、多少なりとも、その特徴、要素、および／またはステップが１つ以上の実施形態にとっては必要とされること、または、１つ以上の実施形態は、ユーザの入力または督促のありまたはなしで、これらの特徴、要素、および／またはステップが含まれるかまたはなんらかの特定の実施形態で実施されるかどうかを判定するロジックを必然的に含むことを暗示することを意図するものではない。
【００８７】
「Ｘ、Ｙ、およびＺのうちの少なくとも１つ」という句などの接続語は、特に指定のない限り、一般的に用いられる文脈で理解されて、項目、条件などが、Ｘ、Ｙ、もしくはＺ、またはこれらの組み合わせであり得ることを伝達する。したがって、このような接続語は、ある実施形態は、少なくともＸのうちの１つ、少なくともＹのうちの１つ、および少なくともＺのうちの１つが、各々が存在することを要求することを暗示することを意図するものではない。
【００８８】
本明細書に記述したおよび／または添付図面に示したフロー図中のいかなるルーチン記述、要素、またはブロックも、ルーチン中の特定の論理的機能または要素を実装するための１つ以上の実行可能命令を含むモジュール、セグメント、またはコードの部分を潜在的に表すものと理解されるべきである。代わりの実装例は、要素または機能が、当業者によって理解され得るように必要とされる機能性次第で、実質的に同時または逆順を含む図示または説明されたそれとは異なる順序で削除されるまたは実行され得る本明細書に記載する実施形態の範囲内に含まれる。
【００８９】
多くの変更および修正が、他の容認可能な例にあるものと理解されるべき要素を持つ上記の実施形態に対して実施し得ることを強調されるべきである。このような修正および変更の全てが、本明細書では、本開示の範囲内に含まれ、かつ次の付記および特許請求の範囲によって保護されることを意図するものである。
【００９０】
１．オーディオブックを音で向上させるシステムであって、
向上オーディオコンテンツを記憶するように構成された電子データ記憶装置と、
電子データ記憶装置と通信状態にあるコンピューティングデバイスであって、
オーディオブック中で発生するオブジェクトであって、少なくとも１つの語を含む、オブジェクトを特定し、
オブジェクトと関連付けられた音を特定し、
オブジェクトが発生するオーディオブックの一部分の特徴を特定し、
オブジェクトが関連付けられる音を含む向上オーディオコンテンツを選択することであって、選択された向上オーディオコンテンツがオーディオブックの部分の特徴をも有する、選択し、かつ
オブジェクトが発生するオーディオブックの部分を、選択された向上オーディオコンテンツと共に再生するように構成された、コンピューティングデバイスと、を備えるシステム。
【００９１】
２．コンピューティングデバイスが、
歌を含むさらなる向上オーディオコンテンツであって、歌はまた、オーディオブックの部分の特徴を有する、向上オーディオコンテンツを選択し、かつ
オブジェクトが発生するオーディオブックの部分を、選択されたさらなる向上オーディオコンテンツと一緒に再生する、ようにさらに構成される、付記１に記載のシステム。
【００９２】
３．電子書籍を音で向上させるシステムであって、
向上オーディオコンテンツを記憶するように構成された電子データ記憶装置と、
電子データ記憶装置と通信状態にあるコンピューティングデバイスであって、
電子書籍の一部分を表示し、
電子書籍の表示される部分中で発生するオブジェクトであって、語および画像のうちの少なくとも一方を含み、かつ音と関連付けられる、オブジェクトを特定し、
オブジェクトが関連付けられる音を含む向上オーディオコンテンツを選択し、かつ
電子書籍の部分が表示されている間に、選択された向上オーディオコンテンツを再生するように構成された、コンピューティングデバイスと、を備える、システム。
【００９３】
４．電子書籍の表示される部分が、電子書籍のページである、付記３に記載のシステム。
【００９４】
５．コンピューティングデバイスが、
コンピューティングデバイスのユーザと関連付けられた読み取り装置の速度を計算し、かつ
ユーザが表示される部分中のオブジェクトに到達する時間を、計算された読み取り装置の速度に少なくとも部分的に基づいて推定するようにさらに構成され、
選択された向上オーディオコンテンツが推定された時間に再生される、付記３に記載のシステム。
【００９５】
６．コンピューティングデバイスが、
電子書籍の表示される部分中の音と関連付けられたオブジェクトに印を付け、かつ
印を付けられたオブジェクトとのユーザの相互作用を検出するようにさらに構成され、
選択された向上オーディオコンテンツが、検出された印を付けられたオブジェクトとのユーザの相互作用に応答して再生される、付記３に記載のシステム。
【００９６】
７．基本コンテンツ項目を向上させるためのコンピュータ実装方法であって、
特定のコンピュータ実行可能命令で構成された１つ以上のコンピューティングデバイスの制御下で、
基本コンテンツ項目の一部分のテキスト表現に少なくとも部分的に基づいて、基本コンテンツ項目の部分の１つ以上の特徴を判定することと、
基本コンテンツ項目の部分の１つ以上の特徴に少なくとも部分的に基づいて、向上コンテンツを選択することと、
ユーザコンピューティングデバイスに、選択された向上コンテンツを伝達させることと、を含む、コンピュータ実装方法。
【００９７】
８．基本コンテンツ項目の部分の１つ以上の特徴が、基本コンテンツ項目の分野、基本コンテンツ項目の部分の雰囲気、基本コンテンツ項目の部分の位置、基本コンテンツ項目の部分の歴史的設定、および基本コンテンツ項目の部分の時刻のうちの少なくとも１つを含む、付記７に記載のコンピュータ実装方法。
【００９８】
９．基本コンテンツ項目の部分の１つ以上の特徴のうちの少なくとも１つが優先順位付けされた特徴である、付記７に記載のコンピュータ実装方法。
【００９９】
１０．選択された向上コンテンツが、デジタルオーディオコンテンツを含む、付記７に記載のコンピュータ実装方法。
【０１００】
１１．基本コンテンツ項目の部分のオブジェクトを特定することをさらに含み、オブジェクトが音を関連付けられ、デジタルオーディオコンテンツが音を含む、付記１０に記載のコンピュータ実装方法。
【０１０１】
１２．デジタルオーディオコンテンツが歌を含む、付記１０に記載のコンピュータ実装方法。
【０１０２】
１３．選択された向上コンテンツが、デジタルビジュアルコンテンツを含む、付記７に記載のコンピュータ実装方法。
【０１０３】
１４．デジタルビジュアルコンテンツが、デジタルビデオコンテンツ、デジタルテキストコンテンツ、およびデジタル画像のうちの少なくとも１つを含む、付記１３に記載のコンピュータ実装方法。
【０１０４】
１５．ユーザコンピューティングデバイスが、ユーザコンピューティングデバイスが基本コンテンツ項目の部分を伝達する間に、選択された向上コンテンツを伝達するように指示される、付記７に記載のコンピュータ実装方法。
【０１０５】
１６．選択された向上コンテンツがユーザコンピューティングデバイスによって少なくとも１回伝達された後で、基本コンテンツ項目の部分がユーザコンピューティングデバイスによって伝達され続けるかどうかを判定することと、
基本コンテンツ項目の部分がユーザコンピューティングデバイスによって伝達され続ける場合、
さらなる向上コンテンツを選択することと、
ユーザコンピューティングデバイスに、さらなる向上コンテンツを伝達させることと、
をさらに含む、付記１５に記載のコンピュータ実装方法。
【０１０６】
１７．コンピュータ実行可能モジュールを有する非一時的コンピュータ読み取り可能媒体であって、コンピュータ実行可能モジュールが、
コンテンツ向上モジュールであって、
デジタルコンテンツの一部分中に存在するオブジェクトであって、デジタルコンテンツの部分中の語および画像のうちの少なくとも一方を含む、オブジェクトを特定し、
オブジェクトに対応する向上コンテンツを特定し、
オブジェクトに対応する向上コンテンツがローカルの電子データ記憶装置中に記憶されていない場合に、オブジェクトに対応する向上コンテンツを、遠隔の電子データ記憶装置から獲得し、かつ
オブジェクトが存在するデジタルコンテンツの部分を実質的にユーザコンピューティングデバイスが伝達している間に、ユーザコンピューティングデバイスに、オブジェクトに対応する向上コンテンツを伝達させるように構成される、コンテンツ向上モジュールを備える、非一時的コンピュータ読み取り可能媒体。
【０１０７】
１８．コンテンツ向上モジュールが、ユーザコンピューティングデバイスに、向上コンテンツが遠隔の電子データ記憶装置から得られたという通知を伝達させるようにさらに構成される、付記１７に記載の非一時的コンピュータ読み取り可能媒体。
【０１０８】
１９．コンテンツ向上コンポーネントが、ローカルの電子データ記憶装置に、オブジェクトに対応する獲得された向上コンテンツ項目を記憶するようにさらに構成される、付記１７に記載の非一時的コンピュータ読み取り可能媒体。
【０１０９】
２０．デジタルコンテンツの部分が特徴を有し、
獲得された向上コンテンツが、デジタルコンテンツの部分の特徴と一致する、付記１７に記載の非一時的コンピュータ読み取り可能媒体。
【０１１０】
２１．向上コンテンツを提供するシステムであって、
向上コンテンツを記憶するように構成された電子データ記憶装置と、
電子データ記憶装置と通信状態にある第１のコンピューティングデバイスであって、
第２のコンピューティングデバイスから、基本コンテンツ項目用の向上コンテンツに対する要求を受信し、
基本コンテンツ項目の特徴を特定し、
電子データ記憶装置に記憶された向上コンテンツを、基本コンテンツ項目の特徴に少なくとも部分的に基づいて選択し、かつ
実質的に第２のコンピューティングデバイスが基本コンテンツ項目を伝達する間に、選択された向上コンテンツを第２のコンピューティングデバイスに提供するように構成された、第１のコンピューティングデバイスと、を備える、システム。
【０１１１】
２２．基本コンテンツ項目の特徴が、人間相互作用タスクシステムから受信された入力に少なくとも部分的に基づいて特定される、付記２１に記載のシステム。
【０１１２】
２３．向上コンテンツの選択が、向上コンテンツ設定ファイルによって指定される、付記２１に記載のシステム。
【０１１３】
２４．第１のコンピューティングデバイスが、
向上コンテンツを記憶するネットワークコンテンツライブラリにアクセスし、
ネットワークコンテンツライブラリから、基本コンテンツ項目の特徴に少なくとも部分的に基づいて、さらなる向上コンテンツを選択し、かつ
さらなる向上コンテンツを第２のコンピューティングデバイスに提供するようにさらに構成される、付記２１に記載のシステム。
【０１１４】
２５．第１のコンピューティングデバイスが、
さらなる向上コンテンツを記憶するネットワークコンテンツライブラリにアクセスし、
ネットワークコンテンツライブラリから、基本コンテンツ項目の特徴に少なくとも部分的に基づいて、さらなる向上コンテンツを選択し、かつ
第２のコンピューティングデバイスに、さらなる向上コンテンツをネットワークコンテンツライブラリから獲得するように指示するようにさらに構成される、付記２１に記載のシステム。
【図１】
2015525417.tif 000003
【図２】
2015525417.tif 000004
【図３】
2015525417.tif 000005
【図４】
2015525417.tif 000006
【図５】
2015525417.tif 000007
【図６】
2015525417.tif 000008
【図７】
2015525417.tif 000009
【国際調査報告】
2015525417.tif 000010